(57)【要約】  ハンドオーバ失敗検出装置（１２１）は、（ａ）第１の基地局（１１１）に属する第１のセル（１３１）から第２の基地局（１１２）に属する第２のセル（１３２）への移動端末（１０１）の第１のハンドオーバに関するハンドオーバ完了通知の第１の基地局（１１１）による受信の有無、及び（ｂ）第１のハンドオーバの開始後に発生する移動端末（１０１）から第１のセル（１３１）に対する接続再確立の要求の有無を観測することにより、第１のセル（１３１）からの外向きハンドオーバに関する複数のハンドオーバ失敗種別のうち少なくとも一部を検出するよう動作する。これにより、少なくとも一部の基地局間での情報のやり取りが制限された状況におけるハンドオーバ失敗検出の改善又はハンドオーバ失敗の軽減に寄与する。
2014002320.tif 000002
【特許請求の範囲】
【請求項１】
（ａ）第１の基地局に属する第１のセルから第２の基地局に属する第２のセルへの移動端末の第１のハンドオーバに関するハンドオーバ完了通知の前記第１の基地局による受信の有無、及び（ｂ）前記第１のハンドオーバの開始後に発生する前記移動端末から前記第１のセルに対する接続再確立の要求の有無を観測することにより、前記第１のセルからの外向きハンドオーバに関する複数のハンドオーバ失敗種別のうち少なくとも一部を検出する検出手段を備える、
ハンドオーバ失敗検出装置。
【請求項２】
前記検出手段は、前記第１のハンドオーバの開始に依存する第１の所定期間内に前記ハンドオーバ完了通知が受信されず、かつ前記第１のハンドオーバの開始に依存する第２の所定期間内に前記接続再確立の要求が受信されない場合に、第１のハンドオーバ失敗種別を検出する、請求項１に記載のハンドオーバ失敗検出装置。
【請求項３】
前記検出手段は、前記第１のハンドオーバの開始に依存する第３の所定期間内に前記接続再確立の要求が受信された場合に、第２のハンドオーバ失敗種別を検出する、請求項１又は２に記載のハンドオーバ失敗検出装置。
【請求項４】
前記検出手段は、前記ハンドオーバ完了通知の受信より前に前記接続再確立の要求が受信された場合に、第２のハンドオーバ失敗種別を検出する、請求項１〜３のいずれか１項に記載のハンドオーバ失敗検出装置。
【請求項５】
前記検出手段は、前記ハンドオーバ完了通知の受信に依存する第４の所定期間内に前記接続再確立の要求が受信された場合に、第２のハンドオーバ失敗種別を検出する、請求項１〜４のいずれか１項に記載のハンドオーバ失敗検出装置。
【請求項６】
前記検出手段は、前記第１のハンドオーバの開始に依存する第４の所定期間内に前記接続再確立の要求が受信されず、かつ前記第１のハンドオーバの開始に依存する第５の所定期間内に前記第２の基地局からハンドオーバ失敗情報が受信された場合に、第３のハンドオーバ失敗種別を検出するよう動作し、
前記第３のハンドオーバ失敗種別は、前記第１のハンドオーバの実行中又は前記第１のハンドオーバの完了後に前記第２のセルでの異常な接続切断を経験した前記移動端末が前記第１及び第２のセルのいずれとも異なる第３のセルに接続再確立を試みる状況に対応する、
請求項１〜５のいずれか１項に記載のハンドオーバ失敗検出装置。
【請求項７】
前記ハンドオーバ失敗情報は、前記第２の基地局が、前記第３のセルを管理する第３の基地局から情報を受信することなく、前記第２のセルに接続しているときの前記移動端末による無線品質の測定情報に基づいて推定した前記第３のセルの識別子を含む、
請求項６に記載のハンドオーバ失敗検出装置。
【請求項８】
前記ハンドオーバ失敗情報は、前記第１のハンドオーバによる前記移動端末の前記第２のセルへの接続に依存する第６の所定期間内に前記移動端末が前記第２のセルでの異常な接続切断を経験したことに応じて送信される、請求項６又は７に記載のハンドオーバ失敗検出装置。
【請求項９】
前記検出手段は、前記第１のハンドオーバの開始に依存する第４の所定期間内に前記接続再確立の要求が受信されず、かつ前記第１のハンドオーバの開始に依存する第７の所定期間内に前記第１及び第２のセルのいずれとも異なる第３のセルを管理する第３の基地局からハンドオーバ失敗情報が受信された場合に、第３のハンドオーバ失敗種別を検出するよう動作し、
前記第３のハンドオーバ失敗種別は、前記第１のハンドオーバの実行中又は前記第１のハンドオーバの完了後に前記第２のセルでの接続切断を経験した前記移動端末が前記第１及び第２のセルのいずれとも異なる第３のセルに接続再確立を試みる状況に対応する、
請求項１〜５のいずれか１項に記載のハンドオーバ失敗検出装置。
【請求項１０】
前記ハンドオーバ失敗情報は、前記第３の基地局が、前記移動端末の前記第３のセルでの接続再確立の以前の第８の所定期間内に前記移動端末の前記第２のセルへのハンドオーバを要求した基地局が存在することを検出したことに応じて送信される、請求項９に記載のハンドオーバ失敗検出装置。
【請求項１１】
前記ハンドオーバ完了通知は、前記第１の基地局が接続された上位ネットワークに属するネットワークノードまたは前記第２の基地局から前記第１の基地局に送信される、請求項１〜１０のいずれか１項に記載のハンドオーバ失敗検出装置。
【請求項１２】
前記ハンドオーバ完了通知は、ハンドオーバ手順において前記第１の基地局が受信するメッセージである、請求項１〜１１のいずれか１項に記載のハンドオーバ失敗検出装置。
【請求項１３】
前記検出手段は、前記少なくとも一部のハンドオーバ失敗種別の検出結果に基づいて、前記第１のセルからのハンドオーバに関するフィードバック情報を生成する、請求項１〜１２のいずれか１項に記載のハンドオーバ失敗検出装置。
【請求項１４】
前記フィードバック情報は、前記少なくとも一部のハンドオーバ失敗種別の発生数又は発生率を示す、請求項１３に記載のハンドオーバ失敗検出装置。
【請求項１５】
（ａ）第１の基地局に属する第１のセルから第２の基地局に属する第２のセルへの移動端末の第１のハンドオーバに関するハンドオーバ完了通知の前記第１の基地局による受信の有無、及び（ｂ）前記第１のハンドオーバの開始後に発生する前記移動端末から前記第１のセルに対する接続再確立の要求の有無に応じて、前記第１のセルからの外向きハンドオーバを制御するためのハンドオーバ・パラメータを調整する調整手段を備える、
ハンドオーバ・パラメータ調整装置。
【請求項１６】
前記調整手段は、前記第１のセルからの外向きハンドオーバに関する複数のハンドオーバ失敗種別のうち少なくとも一部の検出結果に基づくフィードバック情報を受信し、
前記少なくとも一部のハンドオーバ失敗種別の検出結果は、前記ハンドオーバ完了通知の受信の有無、及び前記接続再確立の要求の有無の観測により得られる、
請求項１５に記載のハンドオーバ・パラメータ調整装置。
【請求項１７】
前記調整手段は、前記フィードバック情報を解析することによって前記ハンドオーバ・パラメータを調整する、請求項１６に記載のハンドオーバ・パラメータ調整装置。
【請求項１８】
前記調整手段は、
前記少なくとも一部のハンドオーバ失敗種別の各々を前記ハンドオーバ・パラメータの複数の調整方向のいずれかに対応づけ、
前記複数の調整方向の各々について、各調整方向に対応付けられたハンドオーバ失敗種別の発生数又は発生率の総和を求め、
前記発生数又は発生率の総和が最も大きい調整方向に前記ハンドオーバ・パラメータを調整する、
請求項１６又は１７に記載のハンドオーバ・パラメータ調整装置。
【請求項１９】
前記ハンドオーバ・パラメータは、前記第１のセルの無線品質に作用する第１のオフセット、前記第２のセルの無線品質に作用する第２のオフセット、及び前記第１のセルに接続する移動端末による測定報告の送信を起動するための保護時間のうち少なくとも１つを含む、請求項１５〜１８のいずれか１項に記載のハンドオーバ・パラメータ調整装置。
【請求項２０】
第１の基地局に通知するためのハンドオーバ失敗情報を生成する生成手段を備え、
前記ハンドオーバ失敗情報は、前記第１の基地局に属する第１のセルから第２の基地局に属する第２のセルへの第１のハンドオーバの実行中又は前記第１のハンドオーバの完了後に前記第２のセルでの異常な接続切断を経験した移動端末が前記第１及び第２のセルのいずれとも異なる第３のセルに接続再確立を試みる状況に対応するハンドオーバ失敗種別を検出するために使用される、
ハンドオーバ失敗情報生成装置。
【請求項２１】
前記生成手段は、前記第２の基地局と結合され、
前記ハンドオーバ失敗情報は、前記生成手段が、前記第３のセルを管理する第３の基地局から情報を受信することなく、前記第２のセルに接続しているときの前記移動端末による無線品質の測定報告に基づいて推定した前記第３のセルの識別子を含む、
請求項２０に記載のハンドオーバ失敗情報生成装置。
【請求項２２】
前記生成手段は、前記第１のハンドオーバによる前記移動端末の前記第２のセルへの接続に依存する所定期間内に前記移動端末が前記第２のセルでの異常な接続切断を経験したことに応じて、前記ハンドオーバ失敗情報を送信する、請求項２１に記載のハンドオーバ失敗情報生成装置。
【請求項２３】
前記生成手段は、前記測定報告において無線品質が最良のセルを前記第３のセルとして推定する、請求項２１又は２２に記載のハンドオーバ失敗情報生成装置。
【請求項２４】
前記生成手段は、前記第３のセルを管理する第３の基地局と結合され、
前記生成手段は、前記移動端末の前記第３のセルでの接続再確立の以前の所定期間内に前記移動端末の前記第２のセルへのハンドオーバを要求した基地局が存在することを検出したことに応じて、前記ハンドオーバ失敗情報を送信する、請求項２０に記載のハンドオーバ失敗情報生成装置。
【請求項２５】
前記生成手段は、前記第３のセルからハンドオーバが可能なセルを管理する基地局を対象に、前記移動端末の前記第２のセルへのハンドオーバを要求した基地局の有無を特定する、請求項２４に記載のハンドオーバ失敗情報生成装置。
【請求項２６】
（ａ）第１の基地局に属する第１のセルから第２の基地局に属する第２のセルへの移動端末の第１のハンドオーバに関するハンドオーバ完了通知の前記第１の基地局による受信の有無、及び（ｂ）前記第１のハンドオーバの開始後に発生する前記移動端末から前記第１のセルに対する接続再確立の要求の有無を観測することにより、前記第１のセルからの外向きハンドオーバに関する複数のハンドオーバ失敗種別のうち少なくとも一部を検出する検出手段と、
前記少なくとも一部のハンドオーバ失敗種別の検出結果に基づいて、前記第１のセルからの外向きハンドオーバを制御するためのハンドオーバ・パラメータを調整する調整手段と、
を備える、ハンドオーバ最適化のためのシステム。
【請求項２７】
前記検出手段は、前記第１のハンドオーバの開始に依存する第１の所定期間内に前記ハンドオーバ完了通知が受信されず、かつ前記第１のハンドオーバの開始に依存する第２の所定期間内に前記接続再確立の要求が受信されない場合に、第１のハンドオーバ失敗種別を検出する、請求項２６に記載のシステム。
【請求項２８】
前記検出手段は、前記第１のハンドオーバの開始に依存する第３の所定期間内に前記接続再確立の要求が受信された場合に、第２のハンドオーバ失敗種別を検出する、請求項２６又は２７に記載のシステム。
【請求項２９】
前記検出手段は、前記ハンドオーバ完了通知の受信より前に前記接続再確立の要求が受信された場合に、第２のハンドオーバ失敗種別を検出する、請求項２６〜２８のいずれか１項に記載のシステム。
【請求項３０】
前記検出手段は、前記ハンドオーバ完了通知の受信に依存する第４の所定期間内に前記接続再確立の要求が受信された場合に、第２のハンドオーバ失敗種別を検出する、請求項２６〜２９のいずれか１項に記載のシステム。
【請求項３１】
ハンドオーバ失敗情報を生成して前記検出手段に通知する生成手段をさらに備え、
前記検出手段は、前記第１のハンドオーバの開始に依存する第４の所定期間内に前記接続再確立の要求が受信されず、かつ前記第１のハンドオーバの開始に依存する第５の所定期間内にハンドオーバ失敗情報が受信された場合に、第３のハンドオーバ失敗種別を検出するよう動作し、
前記第３のハンドオーバ失敗種別は、前記第１のハンドオーバの実行中又は前記第１のハンドオーバの完了後に前記第２のセルでの異常な接続切断を経験した前記移動端末が前記第１及び第２のセルのいずれとも異なる第３のセルに接続再確立を試みる状況に対応する、
請求項２６〜３０のいずれか１項に記載のシステム。
【請求項３２】
前記生成手段は、前記第２の基地局と結合され、
前記ハンドオーバ失敗情報は、前記生成手段が、前記第３のセルを管理する第３の基地局から情報を受信することなく、前記第２のセルに接続しているときの前記移動端末による無線品質の測定情報に基づいて推定した前記第３のセルの識別子を含む、
請求項３１に記載のシステム。
【請求項３３】
前記生成手段は、前記第２の基地局と結合され、
前記生成手段は、前記第１のハンドオーバによる前記移動端末の前記第２のセルへの接続に依存する第６の所定期間内に前記移動端末が前記第２のセルでの異常な接続切断を経験したことに応じて、前記ハンドオーバ失敗情報を送信する、請求項３１又は３２に記載のシステム。
【請求項３４】
前記生成手段は、前記第３のセルを管理する第３の基地局と結合され、
前記生成手段は、前記移動端末の前記第３のセルでの接続再確立の以前の第８の所定期間内に前記移動端末の前記第２のセルへのハンドオーバを要求した基地局が存在することを検出したことに応じて、前記ハンドオーバ失敗情報を送信する、請求項３１に記載のシステム。
【請求項３５】
前記生成手段は、前記第３のセルからハンドオーバが可能なセルを管理する基地局を対象に、前記移動端末の前記第２のセルへのハンドオーバを要求した基地局の有無を特定する、請求項３４に記載のシステム。
【請求項３６】
前記ハンドオーバ・パラメータは、前記第１のセルの無線品質に作用する第１のオフセット、前記第２のセルの無線品質に作用する第２のオフセット、及び前記第１のセルに接続する移動端末による測定報告の送信を起動するための保護時間のうち少なくとも１つを含む、請求項２６〜３５のいずれか１項に記載のシステム。
【請求項３７】
前記調整手段は、前記第１のハンドオーバ失敗種別の発生率が所定値を超えるとき、前記第１のオフセットの減少、前記第２のオフセットの増加、及び前記保護時間の減少のうち少なくとも１つを実行する、請求項２７を引用する請求項３６に記載のシステム。
【請求項３８】
前記調整手段は、前記第２のハンドオーバ失敗種別の発生率が所定値を超えるとき、前記第１のオフセットの増加、前記第２のオフセットの減少、及び前記保護時間の増加のうち少なくとも１つを実行する、請求項２８、２９、又は３０を引用する請求項３６に記載のシステム。
【請求項３９】
前記ハンドオーバ・パラメータは、前記第２のオフセット、及び前記第３のセルの無線品質に作用する第３のオフセットを含み、
前記調整手段は、前記第３のハンドオーバ失敗種別の発生率が所定値を超えるとき、前記第２のオフセットの減らすとともに、前記第３のオフセットの増やす、
請求項３１〜３５のいずれか１項を引用する請求項３６に記載のシステム。
【請求項４０】
請求項１〜１４のいずれか１項に記載のハンドオーバ失敗検出装置を備える基地局。
【請求項４１】
（ａ）第１の基地局に属する第１のセルから第２の基地局に属する第２のセルへの移動端末の第１のハンドオーバに関するハンドオーバ完了通知の前記第１の基地局による受信の有無、及び（ｂ）前記第１のハンドオーバの開始後に発生する前記移動端末から前記第１のセルに対する接続再確立の要求の有無を観測することにより、前記第１のセルからの外向きハンドオーバに関する複数のハンドオーバ失敗種別のうち少なくとも一部を検出することを備える、
ハンドオーバ失敗検出方法。
【請求項４２】
（ａ）第１の基地局に属する第１のセルから第２の基地局に属する第２のセルへの移動端末の第１のハンドオーバに関するハンドオーバ完了通知の前記第１の基地局による受信の有無、及び（ｂ）前記第１のハンドオーバの開始後に発生する前記移動端末から前記第１のセルに対する接続再確立の要求の有無に応じて、前記第１のセルからの外向きハンドオーバを制御するためのハンドオーバ・パラメータを調整することを備える、
ハンドオーバ・パラメータ調整方法。
【請求項４３】
ハンドオーバ失敗検出のための方法をコンピュータに行わせるためのプログラムを格納した非一時的なコンピュータ可読媒体であって、
前記方法は、（ａ）第１の基地局に属する第１のセルから第２の基地局に属する第２のセルへの移動端末の第１のハンドオーバに関するハンドオーバ完了通知の前記第１の基地局による受信の有無、及び（ｂ）前記第１のハンドオーバの開始後に発生する前記移動端末から前記第１のセルに対する接続再確立の要求の有無を観測することにより、前記第１のセルからの外向きハンドオーバに関する複数のハンドオーバ失敗種別のうち少なくとも一部を検出することを含む、
非一時的なコンピュータ可読媒体。
【請求項４４】
ハンドオーバ・パラメータ調整のための方法をコンピュータに行わせるためのプログラムを格納した非一時的なコンピュータ可読媒体であって、
前記方法は、（ａ）第１の基地局に属する第１のセルから第２の基地局に属する第２のセルへの移動端末の第１のハンドオーバに関するハンドオーバ完了通知の前記第１の基地局による受信の有無、及び（ｂ）前記第１のハンドオーバの開始後に発生する前記移動端末から前記第１のセルに対する接続再確立の要求の有無に応じて、前記第１のセルからの外向きハンドオーバを制御するためのハンドオーバ・パラメータを調整することを含む、
非一時的なコンピュータ可読媒体。
【発明の詳細な説明】
【技術分野】
【０００１】
本出願は、ハンドオーバ失敗（handover failure）の検出、又はハンドオーバ（ＨＯ）失敗の検出に基づくＨＯパラメータの調整に関する。
【背景技術】
【０００２】
無線通信システムにおいて、移動端末は、接続先のセル（ソースセル）から他のセルに移動する際に、ハンドオーバと呼ばれる接続先のセルの切り替え処理を行い、通信を継続する。移動端末のハンドオーバを実現するため、ソースセルを管理する基地局は、所定のイベントが発生した場合に測定報告を送信するよう移動端末に指示する。所定のイベントとは、例えば、ソースセルの無線品質の劣化である。移動端末によって生成される測定報告は、ソースセル及びその隣接セル群の無線品質の測定結果を含む。ソースセルの基地局は、移動端末から測定報告を受信した時点で、測定報告に基づいて無線リンク接続の切り替え先のセル（ターゲットセル）を決定し、移動端末およびターゲットセルとのシグナリングを含むハンドオーバ手順を開始する。【０００３】
ここで、ＬＴＥ（Long Term Evolution）/Ｅ−ＵＴＲＡＮ（Evolved UTRAN）に関する技術仕様 3GPP TS 36.331 V9.3.0 (2010-06) にて規定されている測定報告の送信イベントの１つを紹介する。当該文献においてEvent A3（Neighbor becomes offset better than serving）として規定された報告イベントの本質的部分は、以下の式（１）によって表わされる。
ＰＳ＋ＯＳ＜ＰＴ＋ＯＴ    （１）【０００４】
式（１）中のＰＳはソースセルの無線品質の測定結果であり、ＰＴは隣接セルの無線品質の測定結果である。LTEの場合、ＰＳ及びＰＴは、下りリファレンス信号の受信電力（ＲＳＲＰ：Reference Signal Received Power）又は基準信号受信品質（ＲＳＲＱ：Reference Signal Received Quality）である。ＲＳＲＱは、総受信電力(ＲＳＳＩ：Received Signal Strength Indicator)に対するＲＳＲＰの比率である。【０００５】
式（１）中のＯＳは、ソースセルの下りリファレンス信号の無線品質に作用するオフセット値であり、一般にa3-offset（又はヒステリシス）と呼ばれるＨＯパラメータである。一方、式（１）中のＯＴは、隣接セルの下りリファレンス信号の無線品質に作用するオフセット値であり、一般にセル個別オフセット（ＣＩＯ：Cell Individual Offset）と呼ばれるＨＯパラメータである。ＣＩＯ（つまりＯＴ）は、隣接セルごとに異なる値が設定されてもよい。ＣＩＯは、基地局から自身の管理するセルに接続する移動端末に対して通知される隣接リスト（隣接セルリストとも呼ばれる）に含まれる。【０００６】
基地局に式（１）の動作条件が設定されると、その基地局が管理するセルに接続する移動端末に対して式（１）の動作条件が通知される。移動端末は、式（１）の条件を満たす期間が保護時間（ＴＴＴ: Time to Trigger）として定められた期間を超えて継続した場合に、ソースセルを管理する基地局に測定報告を送信する。基地局は、移動端末から測定報告を受信したら、測定報告に基づきターゲットセルを決定し、ターゲットセルへのハンドオーバを開始する。【０００７】
しかしながら、ハンドオーバの開始が遅すぎる又は早すぎると、無線リンクの異常切断（以下、ＲＬＦ（Radio Link Failure）と呼ぶ）を伴う接続障害が発生する。本明細書では、適切でないハンドオーバのために生じるＲＬＦを伴う接続障害を「ハンドオーバ失敗」と呼ぶ。ハンドオーバ失敗を検出し、ＨＯパラメータを調整することでハンドオーバ失敗を低減する技術はハンドオーバ最適化またはＭＲＯ（Mobility Robustness Optimization）と呼ばれ、ＳＯＮ（Self-Organizing Network）の主要なユースケースの１つである。【０００８】
例えば、特許文献１は、ハンドオーバ失敗を抑制してハンドオーバの成功率を高めるために、a3-offset、ＣＩＯ、ＴＴＴ等のＨＯパラメータを調整することによってハンドオーバの開始タイミングを制御する技術を開示している。また、非特許文献１は、ＲＬＦを伴うハンドオーバ失敗の３つの種別、すなわち"Too Late Handover"、"Too Early Handover"、及び"Handover to Wrong Cell"を定義し、これらの検出手法を開示している。【０００９】
Too Late Handoverは、ハンドオーバ手順の実行中にソースセルでのＲＬＦを経験した移動端末がターゲットセルに接続再確立（無線リンクの再確立を含む）を試みる状況、又はハンドオーバの開始前にソースセルでのＲＬＦを経験した移動端末がソースセルとは異なるセルに接続再確立を試みる状況に対応する。【００１０】
Too Early Handoverは、ハンドオーバ手順の実行中又はハンドオーバの完了直後にターゲットセルでのＲＬＦを経験した移動端末がソースセルに接続再確立を試みる状況に対応する。【００１１】
Handover to Wrong Cellは、ハンドオーバ手順の実行中又はハンドオーバの完了直後にソースセル又はターゲットセルでのＲＬＦを経験した移動端末がソースセル及びターゲットセルのいずれとも異なるセルに接続再確立を試みる状況に対応する。【００１２】
非特許文献１は、基地局間インタフェース（すなわち、Ｘ２インタフェース）を介して基地局間で送受信される情報（すなわち、HANDOVER REPORTメッセージ及びRLF INDICATIONメッセージ）を参照することによって、ソースセルの基地局が複数のハンドオーバ失敗種別を検出する手法を開示している。【００１３】
ここで、RLF INDICATIONメッセージは、基地局ＡでのＲＬＦ障害の後に移動端末が他の基地局Ｂにおいて接続再確立を試行した場合に、基地局Ｂから基地局Ａに送信される。RLF INDICATIONメッセージは、以下の情報を含む：
・Failure Cell ID：接続障害の発生前に移動端末が接続していたセルの識別子（Physical Cell Identity（PCI））、
・Reestablishment Cell ID：移動端末が接続再確立を試行したセルの識別子（E-UTRAN Cell Global Identifier（ECGI））、及び 
・C-RNTI：接続障害の発生前に移動端末が接続していたセルにおける移動端末の識別子（C-RNTI）。【００１４】
また、HANDOVER REPORTメッセージは、最近完了したハンドオーバに関して生成される。HANDOVER REPORTメッセージは、ターゲットセルの基地局がハンドオーバ完了通知（すなわち、UE Context Releaseメッセージ）をソースセル基地局に送信した直後にターゲットセルにてハンドオーバ失敗を検出した際に送信される。HANDOVER REPORTメッセージは、以下の情報を含む：
・検出したハンドオーバ失敗の種別（すなわち、Too Early Handover 又はHandover to Wrong Cell）、
・ソースセル及びターゲットセルの識別子（ECGI）、
・接続再確立が試行されたセル（Handover to Wrong Cellの場合）、及び
・Handover cause（handover preparation中にソースセルの基地局から通知された内容）。【００１５】
非特許文献１に開示されたソースセルの基地局による複数のハンドオーバ失敗種別（すなわち、Too Late Handover、Too Early Handover、及び Handover to Wrong Cell）の検出手法の概略は以下の通りである。【００１６】
＜Too Late Handover＞
ソースセルの基地局は、ターゲットセル （ハンドオーバが開始されている場合）、又はソースセルとは異なるセル（ハンドオーバが開始されていない場合）からRLF INDICATIONメッセージを受信したことに応じてToo Late Handoverを検出することができる。【００１７】
＜Too Early Handover＞
ターゲットセルの基地局は、移動端末の内向き（incoming）ハンドオーバが完了した後（つまり、UE CONTEXT RELEASEメッセージを送信した後）の所定期間（Tstore_UE_cntxt）内に、又は当該移動端末に関してハンドオーバの準備がされている間に、当該移動端末に関するRLF INDICATIONメッセージをソースセルから受信したことに応じてToo Early Handoverを検出できる。また、ソースセルの基地局は、Too Early Handoverを示すHANDOVER REPORTメッセージをターゲットセルの基地局から受信することによってToo Early Handoverを検出することができる。【００１８】
＜Handover to Wrong Cell＞
ターゲットセルの基地局は、移動端末の内向き（incoming）ハンドオーバが完了した後（つまり、UE CONTEXT RELEASEメッセージを送信した後）の所定期間（Tstore_UE_cntxt）内に、又は当該移動端末に関してハンドオーバの準備がされている間に、当該移動端末に関するRLF INDICATIONメッセージをソースセルとは異なるセルから受信したことに応じてHandover to Wrong Cellを検出できる。また、ソースセルの基地局は、Handover to Wrong Cellを示すHANDOVER REPORTメッセージをターゲットセル基地局から受信することによってHandover to Wrong Cellを検出することができる。【００１９】
あるいは、ソースセル及びターゲットセルのいずれとも異なる周辺セルの基地局は、ソースセルからターゲットセルへのハンドオーバ中にソースセルでのＲＬＦを経験した移動端末から接続再確立が試行された場合に、ソースセルの基地局に対してRLF INDICATIONメッセージを送信してもよい。これにより、ソースセルの基地局は、当該周辺セルからRLF INDICATIONメッセージを受信したことに応じてHandover to Wrong Cellを検出できる。
【先行技術文献】
【特許文献】
【００２０】
【特許文献１】国際公開第２０１０／００２９２６号
【非特許文献】
【００２１】
【非特許文献１】3GPP TS 36.300 V9.7.0 (2011-03), 22.4.2節, 2011年3月
【発明の概要】
【発明が解決しようとする課題】
【００２２】
上述したように、非特許文献１は、ソースセルが複数のハンドオーバ失敗種別を検出するために、基地局間インタフェースを介して基地局間で送受信される情報（すなわち、HANDOVER REPORTメッセージ及びRLF INDICATIONメッセージ）を用いる。しかしながら、何らかの事情によって、少なくとも一部の基地局間で情報（すなわち、HANDOVER REPORTメッセージ及びRLF INDICATIONメッセージ）を送受できない状況が考えられる。例えば、少なくとも一部の基地局間で基地局間インタフェースを使用することができない場合、これらの基地局は、HANDOVER REPORTメッセージ及びRLF INDICATIONメッセージを送受できない。基地局間インタフェースを使用することができない状況としては、例えば、異なる製造者によって製造された２つの基地局間で基地局間インタフェースを使用できないことが考えられる。また、ネットワークオペレータの運用ポリシのために、少なくとも一部の基地局間で基地局間インタフェースが使用できないことが考えられる。【００２３】
仮にターゲットセルの基地局がソースセルの基地局および他の周辺基地局と情報（すなわち、HANDOVER REPORTメッセージ及びRLF INDICATIONメッセージ）を送受できない場合、非特許文献１の手法では、ソースセルの基地局は、３つのハンドオーバ失敗種別（すなわち、Too Late Handover、Too Early Handover、及びHandover to Wrong Cell）のいずれも検出することが困難である。また、仮にこれら３つの基地局のうち少なくとも１つの基地局間インタフェースが使用できない場合、非特許文献１に示された手法では、ソースセルの基地局は、３つのハンドオーバ失敗のうち一部は検出できても全てを検出することは困難である。したがって、ハンドオーバ失敗を考慮したＨＯパラメータの調整を十分に行うことができないおそれがある。【００２４】
本件発明の目的の１つは、３つの基地局（すなわち、ソースセルの基地局、ターゲットセルの基地局、及びこれらの周辺基地局）のうち少なくとも一部の基地局間での情報のやり取りが制限された状況（例えば、基地局間インタフェースが使用できない状況）におけるハンドオーバ失敗検出の改善又はハンドオーバ失敗の軽減に寄与することが可能なハンドオーバ失敗検出装置、ハンドオーバ・パラメータ調整装置、失敗情報生成装置、ハンドオーバ最適化システム、並びにこれらに関する方法及びプログラムを提供することである。
【課題を解決するための手段】
【００２５】
第１の態様では、ハンドオーバ失敗検出装置は検出部を含む。前記検出部は、（ａ）第１の基地局に属する第１のセルから第２の基地局に属する第２のセルへの移動端末の第１のハンドオーバに関するハンドオーバ完了通知の前記第１の基地局による受信の有無、及び（ｂ）前記第１のハンドオーバの開始後に発生する前記移動端末から前記第１のセルに対する接続再確立の要求の有無を観測することにより、前記第１のセルからの外向きハンドオーバに関する複数のハンドオーバ失敗種別のうち少なくとも一部を検出するよう動作する。【００２６】
第２の態様では、ＨＯパラメータ調整装置は調整部を含む。前記調整部は、（ａ）第１の基地局に属する第１のセルから第２の基地局に属する第２のセルへの移動端末の第１のハンドオーバに関するハンドオーバ完了通知の前記第１の基地局による受信の有無、及び（ｂ）前記第１のハンドオーバの開始後に発生する前記移動端末から前記第１のセルに対する接続再確立の要求の有無に応じて、前記第１のセルからの外向きハンドオーバを制御するためのハンドオーバ・パラメータを調整するよう動作する。【００２７】
第３の態様では、ハンドオーバ失敗情報生成装置は生成部を含む。前記生成部は、第２の基地局と結合され、第１の基地局に通知するためのハンドオーバ失敗情報を生成するよう動作する。前記ハンドオーバ失敗情報は、前記第１の基地局に属する第１のセルから第２の基地局に属する第２のセルへの第１のハンドオーバの実行中又は前記第１のハンドオーバの完了後に前記第２のセルでの異常な接続切断を生じた前記移動端末が前記第１及び第２のセルのいずれとも異なる第３のセルに接続再確立を試みる状況に対応するハンドオーバ失敗種別を検出するために使用される。また、前記ハンドオーバ失敗情報は、前記生成手段が、前記第３のセルを管理する第３の基地局から情報を受信することなく、前記第２のセルに接続しているときの前記移動端末による無線品質の測定報告に基づいて推定した前記第３のセルの識別子を含む。【００２８】
第４の態様では、ハンドオーバ最適化システムは、検出部および調整部を含む。前記検出部は、（ａ）第１の基地局に属する第１のセルから第２の基地局に属する第２のセルへの移動端末のハンドオーバに関するハンドオーバ完了通知の前記第１の基地局による受信の有無、及び（ｂ）前記第１のハンドオーバの開始後に発生する前記移動端末から前記第１のセルに対する接続再確立の要求の有無を観測することにより、前記第１のセルからの外向きハンドオーバに関する複数のハンドオーバ失敗種別のうち少なくとも一部を検出するよう動作する。前記調整部は、前記少なくとも一部のハンドオーバ失敗種別の検出結果に基づいて、前記第１のセルからの外向きハンドオーバを制御するためのハンドオーバ・パラメータを調整するよう動作する。【００２９】
第５の態様では、基地局は、上述した第１の態様に係るハンドオーバ失敗検出装置を含む。【００３０】
第６の態様では、ハンドオーバ失敗検出方法は、（ａ）第１の基地局に属する第１のセルから第２の基地局に属する第２のセルへの移動端末の第１のハンドオーバに関するハンドオーバ完了通知の前記第１の基地局による受信の有無、及び（ｂ）前記第１のハンドオーバの開始後に発生する前記移動端末から前記第１のセルに対する接続再確立の要求の有無を観測することにより、前記第１のセルからの外向きハンドオーバに関する複数のハンドオーバ失敗種別のうち少なくとも一部を検出することを含む。【００３１】
第７の態様では、ＨＯパラメータ調整方法は、（ａ）第１の基地局に属する第１のセルから第２の基地局に属する第２のセルへの移動端末の第１のハンドオーバに関するハンドオーバ完了通知の前記第１の基地局による受信の有無、及び（ｂ）前記第１のハンドオーバの開始後に発生する前記移動端末から前記第１のセルに対する接続再確立の要求の有無に応じて、前記第１のセルからの外向きハンドオーバを制御するためのハンドオーバ・パラメータを調整することを含む。【００３２】
第８の態様では、プログラムは、ハンドオーバ失敗検出のための方法をコンピュータに行わせるための命令群を含む。前記方法は、（ａ）第１の基地局に属する第１のセルから第２の基地局に属する第２のセルへの移動端末の第１のハンドオーバに関するハンドオーバ完了通知の前記第１の基地局による受信の有無、及び（ｂ）前記第１のハンドオーバの開始後に発生する前記移動端末から前記第１のセルに対する接続再確立の要求の有無を観測することにより、前記第１のセルからの外向きハンドオーバに関する複数のハンドオーバ失敗種別のうち少なくとも一部を検出することを含む。【００３３】
第９の態様では、プログラムは、ＨＯパラメータ調整のための方法をコンピュータに行わせるための命令群を含む。前記方法は、（ａ）第１の基地局に属する第１のセルから第２の基地局に属する第２のセルへの移動端末の第１のハンドオーバに関するハンドオーバ完了通知の前記第１の基地局による受信の有無、及び（ｂ）前記第１のハンドオーバの開始後に発生する前記移動端末から前記第１のセルに対する接続再確立の要求の有無に応じて、前記第１のセルからの外向きハンドオーバを制御するためのハンドオーバ・パラメータを調整することを含む。
【発明の効果】
【００３４】
上述した態様によれば、３つの基地局（すなわち、ソースセルの基地局、ターゲットセルの基地局、及びこれらの周辺基地局）のうち少なくとも一部の基地局間での情報のやり取りが制限された状況におけるハンドオーバ失敗検出の改善又はハンドオーバ失敗の軽減に寄与することが可能なハンドオーバ失敗検出装置、ハンドオーバ・パラメータ調整装置、ハンドオーバ最適化システム、並びにこれらに関する方法及びプログラムを提供できる。
【図面の簡単な説明】
【００３５】
【図１】第１〜第５の実施形態に係る無線通信システムの構成例を示すブロック図である。
【図２】第２の実施形態に係る無線通信システムの構成例を示すブロック図である。
【図３】第２の実施形態に係るToo Late Handover 検出手順の第１の例を示すフローチャートである。
【図４】第２の実施形態に係るToo Late Handover 検出手順の第２の例を示すフローチャートである。
【図５】第２の実施形態に係るＨＯパラメータ調整手順の一例を示すフローチャートである。
【図６】第３の実施形態に係る無線通信システムの構成例を示すブロック図である。
【図７】第３の実施形態に係るToo Early Handover 検出手順の第１の例を示すフローチャートである。
【図８】第３の実施形態に係るToo Early Handover 検出手順の第２の例を示すフローチャートである。
【図９】第３の実施形態に係るToo Early Handover 検出手順の第３の例を示すフローチャートである。
【図１０】第３の実施形態に係るToo Early Handover 検出手順の第４の例を示すフローチャートである。
【図１１】第３の実施形態に係るＨＯパラメータ調整手順の一例を示すフローチャートである。
【図１２】第４の実施形態に係る無線通信システムの構成例を示すブロック図である。
【図１３】第４の実施形態に係るHandover to Wrong Cell 検出手順の第１の例を示すフローチャートである。
【図１４】第４の実施形態に係るHandover to Wrong Cell 検出手順の第２の例を示すフローチャートである。
【図１５】第４の実施形態に係るHandover to Wrong Cell 検出手順の第３の例を示すフローチャートである。
【図１６】第４の実施形態に係るHandover to Wrong Cell 検出手順の第４の例を示すフローチャートである。
【図１７】第４の実施形態に係るハンドオーバ失敗情報の通知手順の第１の例を示すフローチャートである。
【図１８】第４の実施形態に係るハンドオーバ失敗情報の通知手順の第２の例を示すフローチャートである。
【図１９】第４の実施形態に係るＨＯパラメータ調整手順の一例を示すフローチャートである。
【図２０】第５の実施形態に係る無線通信システムの構成例を示すブロック図である。
【図２１】第５の実施形態に係るHandover to Wrong Cell 検出手順の第１の例を示すフローチャートである。
【図２２】第５の実施形態に係るHandover to Wrong Cell 検出手順の第２の例を示すフローチャートである。
【図２３】第５の実施形態に係るHandover to Wrong Cell 検出手順の第３の例を示すフローチャートである。
【図２４】第５の実施形態に係るハンドオーバ失敗情報の通知手順の第１の例を示すフローチャートである。
【図２５】第５の実施形態に係るハンドオーバ失敗情報の通知手順の第２の例を示すフローチャートである。
【発明を実施するための形態】
【００３６】
以下では、具体的な実施形態について、図面を参照しながら詳細に説明する。各図面において、同一又は対応する要素には同一の符号が付されており、説明の明確化のため、必要に応じて重複説明は省略される。
【００３７】
＜第１の実施形態＞
図１は、本実施形態を含む幾つかの実施形態に係る無線通信システム１００の構成例を示すブロック図である。無線通信システム１００は、複数の基地局１１１〜１１３を含む。基地局１１１〜１１３は、セル１３１〜１３３をそれぞれ管理し、１又は複数の移動端末（例えば移動端末１０１）と通信する。移動端末１０１は、基地局１１１〜１１３のいずれにも接続できる。なお、図１の構成例は、説明のための一例に過ぎないから、適宜変更されてもよい。例えば、無線通信システム１００は、４つ以上の基地局を含んでもよい。また、図１に示されたセル１３１〜１３３の隣接関係も一例に過ぎない。例えば、無線通信システム１００は、あるセル（例えばセル１３２）が他のセル（例えばセル１３３）内に配置された階層化セル構造を有してもよい。
【００３８】
基地局１１１〜１１３は、ネットワークノード１４１を含むネットワーク１４０に接続され、ネットワークノード１４１と通信することができる。ネットワーク１４０は、例えば、無線アクセスネットワーク若しくはコアネットワーク、又はこれら両方を含む。ネットワークノード１４１は、無線アクセスネットワークノード若しくはコアネットワークノード、又はこれら両方を含む。ネットワークノード１４１は、複数のネットワークノードに対応付けられてもよい。ネットワークノード１４１は、ユーザープレーン（データプレーン）のノードであってもよいし、コントロールプレーンのノードであってもよい。ネットワークノード１４１は、例えば、無線リソース管理、モビリティ管理、ベアラ管理、ユーザデータ転送・ルーティング、及び外部ネットワークとのゲートウェイ機能、のうち少なくとも１つを実行する。
【００３９】
また、無線通信システム１００は、ハンドオーバ（ＨＯ）失敗検出部１２１及びＨＯパラメータ調整部１５１を含む。ＨＯ失敗検出部１２１及びＨＯパラメータ調整部１５１は、ハンドオーバ失敗を低減するためのシステム（つまり、ハンドオーバ最適化システム）と呼ぶことができる。ＨＯ失敗検出部１２１はセル１３１（基地局１１１）からの外向き（outgoing）ハンドオーバに関する複数のハンドオーバ失敗種別（例えば、Too Late Handover、Too Early Handover、及びHandover to Wrong Cell）のうち少なくとも１つを検出する。そして、ＨＯ失敗検出部１２１は、ソースセル１３１からの外向きハンドオーバに関するフィードバック情報を生成し、これをＨＯパラメータ調整部１５１に供給する。フィードバック情報は、ハンドオーバ失敗種別の検出結果に基づいて生成され、ハンドオーバ失敗種別の検出履歴を示す。例えば、フィードバック情報は、ハンドオーバ失敗種別ごとの検出数とハンドオーバの試行回数を示してもよい。また、フィードバック情報は、ハンドオーバ失敗種別ごとの発生率を示してもよい。
【００４０】
ＨＯパラメータ調整部１５１は、ＨＯ失敗検出部１２１からのフィードバック情報、すなわちＨＯ失敗検出部１２１によるハンドオーバ失敗の検出結果に基づいて、ＨＯパラメータ（例えば、A3-offset、ＣＩＯ、及びＴＴＴのうち少なくとも１つ）を調整する。調整されたＨＯパラメータは、セル１３１に適用される。
【００４１】
図１の例では、ＨＯ失敗検出部１２１は基地局１１１と一体的に配置され、ＨＯパラメータ調整部１５１はネットワーク管理システム（Network Management System）１５０に配置されている。ネットワーク管理システム１５０は、ＯＡＭ（Operation Administration and Maintenance）サーバ、ＯＭＣ（Operation and Maintenance Centre）、ＮＭ（Network Manager）、又はＥＭ（Element Manager）と呼ばれる場合もある。しかしながら、これらの配置は一例に過ぎない。例えば、ＨＯ失敗検出部１２１は、基地局１１１から離間して、基地局１１１と通信可能に配置されてもよい。ＨＯパラメータ調整部１５１は、例えば、基地局１１１と一体的に配置されてもよいし、ネットワーク１４０に配置されてもよい。
【００４２】
以下では、セル１３１からセル１３２への移動端末１０１のハンドオーバに関するハンドオーバ失敗種別の検出について説明する。したがって、以下では、セル１３１を"ソースセル"と呼び、セル１３２を"ターゲットセル"と呼ぶことがある。また、基地局１１１を"ソース基地局"と呼び、基地局１１２を"ターゲット基地局"と呼ぶことがある。また、セル１３３を"周辺セル"または"再接続セル"と呼ぶことがある。同様に、基地局１１３を"周辺基地局"または"再接続基地局"と呼ぶことがある。なお、再接続セルは、ハンドオーバ中又はハンドオーバ完了直後にＲＬＦを経験した移動端末１０１から無線接続の再確立を要求されたセル（ただし、ソースセル及びターゲットセルのいずれとも異なる）を意味する。
【００４３】
既に述べたように、３つの基地局（すなわち、ソース基地局１１１、ターゲット基地局１１２、及び周辺基地局１１３）のうち少なくとも一部の基地局間での情報のやり取りが制限された状況（例えば、基地局間インタフェースが使用できない状況）では、セル１３１からの外向きハンドオーバに関する１又は複数のハンドオーバ失敗種別の検出が困難となるおそれがある。この問題に対処するため、本実施形態のＨＯ失敗検出部１２１は、以下の（ａ）及び（ｂ）を観測することにより、セル１３１からの外向きハンドオーバに関する複数のハンドオーバ失敗種別（例えば、Too Late Handover、Too Early Handover、及びHandover to Wrong Cell）のうち少なくとも一部を検出する：
（ａ）ソースセル１３１からターゲットセル１３２への移動端末１０１の第１のハンドオーバに関するハンドオーバ完了通知のソース基地局１１１による受信の有無、及び
（ｂ）当該第１のハンドオーバの開始後に発生する移動端末１０１からソース基地局１１１に対する接続再確立の要求の有無。
【００４４】
また、本実施形態のＨＯパラメータ調整部１５１は、ＨＯ失敗検出部１２１による検出結果に基づいて、ＨＯパラメータを調整する。したがって、ＨＯパラメータ調整部１５１は、以下の（ａ）及び（ｂ）に応じて、セル１３１からの外向きハンドオーバを制御するためのＨＯパラメータを調整する：
（ａ）ソースセル１３１からターゲットセル１３２への移動端末１０１の第１のハンドオーバに関するハンドオーバ完了通知のソース基地局１１１による受信の有無、及び
（ｂ）当該第１のハンドオーバの開始後に発生する移動端末１０１からソース基地局１１１に対する接続再確立の要求の有無。
【００４５】
ここで、ハンドオーバ完了通知は、基地局間インタフェースが使用できる状況では、当該インタフェースを用いてターゲット基地局からソース基地局に送信されてもよい。また、ハンドオーバ完了通知は、基地局間インタフェースが使用できない状況、又は基地局間インタフェースが使用できる状況であっても、ネットワークノード１４１からソース基地局１１１に送信されてもよい。
【００４６】
ハンドオーバ完了通知は、ハンドオーバ手順においてソース基地局１１１が受信するメッセージ（シグナル）である。ハンドオーバ完了通知は、ターゲットセル１３２と移動端末１０１の接続確立に応じて、又は当該接続確立の後に送信されるメッセージであってもよい。ハンドオーバ完了通知は、ソースセル１３１（ソース基地局１１１）における無線リソースの解放をトリガーするメッセージであってもよい。あるいは、ハンドオーバ完了通知は、ソースセル１３１（ソース基地局１１１）に保持された移動端末１０１のコンテキストの消去をトリガーするメッセージであってもよい。
【００４７】
例えばＬＴＥシステムでは、ハンドオーバ完了通知は、Ｘ２−ＡＰプロトコルを用いるＸ２インタフェースによって送信されてもよいし（いわゆるＸ２ハンドオーバの場合）、又はＳ１−ＡＰプロトコルを用いるＳ１インタフェースによって送信されてもよい（いわゆるＳ１ハンドオーバ又はInter-MMEハンドオーバの場合）。ＬＴＥシステムでは、ハンドオーバ完了通知は、所定のCause（例えばSuccessful HO）を示す"UE Context Release"メッセージであってもよい。ソース基地局１１１は、ターゲット基地局１１２からUE Context Releaseメッセージを受信する。また、ハンドオーバ完了通知は、ソース基地局１１１がネットワークノード１４１（具体的には、ＭＭＥ（Mobility Management Entity））から受信する"UE Context Release Command"メッセージであってもよい。なお、UE Context Releaseメッセージの送受を含むハンドオーバ手順については、 3GPP TS 36.300において規定されている。
【００４８】
ハンドオーバの開始は、ソース基地局１１１が移動端末１０１に対してハンドオーバ指示を送信することに対応付けられてもよい。ハンドオーバ指示を受信した移動端末１０１は、ターゲット基地局１１２への接続を開始する。また、ハンドオーバの開始は、ソース基地局１１１が、ハンドオーバ準備のために、ターゲット基地局１１２又はネットワークノード１４１にハンドオーバ要求を送信することに対応付けられてもよい。ハンドオーバ要求を受信したターゲット基地局１１２又はネットワークノード１４１は、ターゲット基地局１１２における無線リソースのセットアップを含むハンドオーバ準備を開始する。さらにまた、ハンドオーバの開始は、ハンドオーバをトリガーする情報（例えば、測定報告）をソース基地局１１１が移動端末１０１から受信することに対応付けられてもよい。
【００４９】
例えばＬＴＥシステムでは、ハンドオーバの開始は、ソース基地局１１１から移動端末１０１への"HO Command"メッセージの送信に対応付けられてもよい。また、ハンドオーバの開始は、ソース基地局１１１からターゲット基地局１１２への"Handover Request"メッセージの送信に対応付けられてもよい。また、ハンドオーバの開始は、ソース基地局１１１からネットワークノード１４１（具体的には、ＭＭＥ）への"Handover Required"メッセージの送信に対応付けられてもよい。さらに、また、ハンドオーバの開始は、ソース基地局１１１がMeasurement Report を移動端末１０１から受信することに対応付けられてもよい。なお、HO Commandメッセージ、Handover Requestメッセージ、及びMeasurement Reportの送受を含むハンドオーバ手順については、 3GPP TS 36.300において規定されている。
【００５０】
以上に述べたように、本実施形態に係るＨＯ失敗検出部１２１は、上述した（ａ）ハンドオーバ完了通知の受信有無、及び（ｂ）移動端末１０１からの接続再確立の要求の受信有無に基づいてハンドオーバ失敗種別を検出する。したがって、ＨＯ失敗検出部１２１は、３つの基地局（すなわち、ソース基地局１１１、ターゲット基地局１１２、及び周辺基地局１１３）のうち少なくとも一部の基地局間での情報（例えば、HANDOVER REPORTメッセージ及びRLF INDICATIONメッセージ）のやり取りが制限された状況でのハンドオーバ失敗検出を改善できる。また、ＨＯパラメータ調整部１５１は、ＨＯ失敗検出部１２１の検出結果を利用することで、当該状況におけるハンドオーバ失敗の軽減に寄与することができる。
【００５１】
一例において、ＨＯ失敗検出部１２１は、ターゲット基地局１１２及び周辺基地局１１３からの情報を用いること無く、ソースセル１３１からの外向きハンドオーバに関するToo Late Handover若しくはToo Early Handover又はこれら両方を検出できる。また、他の一例において、ＨＯ失敗検出部１２１は、ターゲット基地局１１２及び周辺基地局１１３のいずれか一方からの情報を利用できない状況において、ソースセル１３１からの外向きハンドオーバに関するHandover to Wrong Cellを検出できる。なお、各ハンドオーバ失敗種別（Too Late Handover、Too Early Handover、又はHandover to Wrong Cell）に対応したＨＯ失敗検出部１２１及びＨＯパラメータ調整部１５１の動作の具体例は、第２〜第５の実施形態において説明される。
【００５２】
＜第２の実施形態＞
本実施形態では、ソースセル１３１からターゲットセル１３２へのハンドオーバに関するToo Late Handoverの検出について説明する。本実施形態に係る無線通信システム１００の構成例は図１と同様である。図２は、Too Late Handoverが発生する状況を示している。なお、図２は、ソース基地局１１１とターゲット基地局１１２の間で情報（例えば、HANDOVER REPORTメッセージ及びRLF INDICATIONメッセージ）を送受できない状況を想定している。この状況は、例えば、ソース基地局１１１及びターゲット基地局１１２の間の基地局間インタフェース（例えば、Ｘ２インタフェース）が使用できない状況に対応する。
【００５３】
図２において、始めに、移動端末１０１は、ソース基地局１１１（ソースセル１３１）に接続され、ソース基地局１１１を介して通信している。同時に、移動端末１０１は、ターゲット基地局１１２の近くに位置している。移動端末１０１は、例えば、所定の条件（例えば、非周期的な条件の成立、又は周期的な条件の成立）に応じてソースセル１３１及びターゲットセル１３２の無線品質を示す測定報告をソース基地局１１１に送信する。その後、ソース基地局１１１は、移動端末１０１のターゲットセル１３２（ターゲット基地局１１２）への外向きハンドオーバを決定し、この外向きハンドオーバを開始する。図２の例では、ソース基地局１１１は、ハンドオーバを開始するためにハンドオーバ指示（例えば、HO Commandメッセージ）を移動端末１０１に送信する。なお、既に述べたように、ハンドオーバの開始は、ソース基地局１１１からネットワークノード１４１（例えば、ＭＭＥ）へのハンドオーバ要求（例えば、Handover Requiredメッセージ）の送信に対応付けられてもよい。また、ハンドオーバの開始は、ハンドオーバをトリガーする情報（例えば、Measurement Report）のソース基地局１１１による受信に対応付けられてもよい。
【００５４】
しかしながら、図２の移動端末１０１は、ターゲットセル１３２へのハンドオーバの完了前に、ソースセル１３１（ソース基地局１１１）でのＲＬＦを経験する。そして、移動端末１０１は、ターゲットセル１３２に対して接続再確立を試行する。言い換えると、移動端末１０１は、ターゲット基地局１１２に対して接続再確立の要求を送信する。
【００５５】
図２のソース基地局１１１（すなわち、ＨＯ失敗検出部１２１）は、ターゲット基地局１１２から情報（例えば、HANDOVER REPORTメッセージ及びRLF INDICATIONメッセージ）を受信すること無く、Too Late Handoverを検出する。具体的に述べると、ＨＯ失敗検出部１２１は、ターゲットセル１３２への外向きハンドオーバの開始に依存する所定期間Ｔ１内に、当該外向きハンドオーバに関するハンドオーバ完了通知が受信されず、かつ所定期間Ｔ１内に移動端末１０１からソースセル１３１への接続再確立の要求も受信されない場合に、Too Late Handoverを検出してもよい。なお、ハンドオーバ完了通知の受信判定のための所定期間と、接続再確立の要求の受信判定のための所定期間は、異なる時間であってもよい。
【００５６】
図３は、Too Late Handover 検出手順の第１の例を示すフローチャートである。ステップＳ１１では、ソース基地局１１１は、ソースセル１３１からターゲットセル１３２への移動端末１０１のハンドオーバを開始する。ハンドオーバの開始は、移動端末１０１へのハンドオーバ指示の送信でもよいし、ネットワークノード１４１へのハンドオーバ要求の送信でもよいし、ハンドオーバをトリガーする情報の移動端末１０１からの受信であってもよい。ステップＳ１２では、ソース基地局１１１は、ハンドオーバ開始に応じて、所定期間Ｔ１を計測するためのタイマを開始する。ステップＳ１３では、ソース基地局１１１（すなわち、ＨＯ失敗検出部１２１）は、タイマの満了前にハンドオーバ完了通知および移動端末１０１からの接続再確立の要求を共に受信しなかったことに応じて、移動端末１０１に関して試行されたハンドオーバがToo Late Handover であることを検出する。
【００５７】
図４は、Too Late Handover 検出手順の第２の例を示すフローチャートである。ステップＳ２１では、ＨＯ失敗検出部１２１は、ソースセル１３１（ソース基地局１１１）から移動端末１０１にハンドオーバ指示（例えば、HO Commandメッセージ）が送信されたかを判定する。ハンドオーバ指示が送信された場合（ステップＳ２１でＹＥＳ）、ＨＯ失敗検出部１２１は、移動端末１０１（つまり、ハンドオーバ指示の送信先）の識別子（例えば、Ｃ−ＲＮＴＩ）を取得して保持する（ステップＳ２２）。ステップＳ２３では、ＨＯ失敗検出部１２１は、移動端末１０１の外向きハンドオーバに関するハンドオーバ完了通知が受信されたかを判定する。ハンドオーバ完了通知が受信されない場合（ステップＳ２３でＹＥＳ）、ＨＯ失敗検出部１２１は、移動端末１０１からソースセル１３１への接続再確立の要求が受信されたかを判定する（ステップＳ２４）。ハンドオーバ完了通知および再確立要求が共に受信されない場合（ステップＳ２４でＮＯ）、ＨＯ失敗検出部１２１は、ハンドオーバ指示（例えば、HO Commandメッセージ）の送信から所定期間Ｔ１が経過したかを判定する（ステップＳ２５）。そして、所定期間Ｔ１が経過した場合に（ステップＳ２５でＹＥＳ）、ＨＯ失敗検出部１２１は、移動端末１０１に関して試行されたハンドオーバがToo Late Handover であることを検出する（ステップＳ２６）。
【００５８】
図５は、ＨＯパラメータ調整部１５１によるＨＯパラメータ調整手順の一例を示すフローチャートである。ステップＳ３１では、ＨＯパラメータ調整部１５１は、ＨＯ失敗検出部１２１から受信したフィードバック情報に基づいて、ソースセル１３１からターゲットセル１３２へのハンドオーバに関するToo Late Handoverの発生率Ｒ＿ＴＬを算出する。フィードバック情報は、例えば、ターゲットセル１３２を含む周辺セル毎のToo Late Handoverの検出数およびハンドオーバ試行回数等のハンドオーバ統計情報を含む。Too Late Handoverの発生率Ｒ＿ＴＬは、Too Late Handoverの検出数をソースセル１３１からの外向きハンドオーバの試行回数によって除算した値とされてもよい。ＨＯパラメータ調整部１５１は、Too Late Handoverの発生率Ｒ＿ＴＬが所定の閾値Ｒ＿ＴＨ１より大きいことに応じて、Too Late Handover低減のためにＨＯパラメータを調整する（ステップＳ３２及びＳ３３）。ステップＳ３３のＨＯパラメータの調整では、ターゲットセル１３２の無線品質に作用するＣＩＯが所定ステップサイズだけ増加されてもよい。また、ソースセル１３１に適用されるＴＴＴが所定ステップサイズだけ減少されもよい。また、ソースセル１３１の無線品質に作用するA3-offsetが所定ステップサイズだけ減少されもよい。
【００５９】
以上の説明から理解されるように、本実施形態に係るＨＯ失敗検出部１２１は、ターゲット基地局１１２から情報（例えば、HANDOVER REPORTメッセージ及びRLF INDICATIONメッセージ）を受信すること無く、Too Late Handoverを検出できる。また、ＨＯパラメータ調整部１５１は、ターゲット基地局１１２から情報（例えば、HANDOVER REPORTメッセージ及びRLF INDICATIONメッセージ）の受信に依らず、Too Late Handoverを低減するためのＨＯパラメータの調整を行うことができる。
【００６０】
なお、本実施形態で説明した手法によって検出されたToo Late Handoverは、Handover to Wrong Cellの一部を含み得る。言い換えると、本実施形態で説明した手法は、Too Late HandoverとHandover to Wrong Cellの一部を識別できない。しかしながら、これらのHandover to Wrong Cellの一部は、Too Late Handoverと同様のＨＯパラメータの調整（例えば、ソースセル１３１に適用されるA3-offsetの減少）によって軽減できる可能性がある。この場合、Handover to Wrong Cellの一部を厳密に区別できなくともHandover to Wrong Cellを含むハンドオーバ失敗を適切に軽減できる。
【００６１】
また、ＨＯパラメータ調整部１５１は、Too Late Handover低減のためのＨＯパラメータの調整を行なってもToo Late Handoverの発生率が減少しない場合に、Handover to Wrong Cell低減のためのＨＯパラメータ調整を行なってもよい。例えば、Handover to Wrong Cell低減のためのＨＯパラメータ調整は、Too Late Handover低減のためのＨＯパラメータの調整とは逆方向の調整（例えば、ターゲットセル１３２の無線品質に作用するＣＩＯの減少、ソースセル１３１に適用されるＴＴＴの増加、又はソースセル１３１の無線品質に作用するA3-offsetの増加）を行なってもよい。また、ＨＯパラメータ調整は、ターゲットセル１３２を除くソースセル１３１の周辺セル（例えばセル１３３）の無線品質に作用するＣＩＯを増加させてもよい。これにより、Handover to Wrong Cellの一部を厳密に区別できなくともHandover to Wrong Cellを含むハンドオーバ失敗を適切に軽減できる。
【００６２】
このように、本実施形態で説明した手法は、Handover to Wrong Cellの一部を区別できなくとも、ハンドオーバ失敗の軽減に十分に寄与することができる。しかしながら、ソース基地局１１１がターゲット基地局１１２又は周辺基地局１１３のいずれか一方と通信できる場合、Handover to Wrong Cellの一部をToo Late Handoverと区別して検出することも可能である。この手法は、後述する第４及び第５の実施形態において説明される。
【００６３】
＜第３の実施形態＞
本実施形態では、ソースセル１３１からターゲットセル１３２へのハンドオーバに関するToo Early Handoverの検出について説明する。本実施形態に係る無線通信システム１００の構成例は図１と同様である。図６は、Too Early Handoverが発生する状況を示している。Too Early Handoverは、ハンドオーバ手順の実行中又はハンドオーバの完了直後にターゲットセル１３２（基地局１１２）でのＲＬＦを経験した移動端末１０１がソースセル１３１（基地局１１１）に接続再確立を試みる状況に対応する。なお、図６は、ソース基地局１１１とターゲット基地局１１２の間で情報（例えば、HANDOVER REPORTメッセージ及びRLF INDICATIONメッセージ）を送受できない状況を想定している。この状況は、例えば、ソース基地局１１１及びターゲット基地局１１２の間の基地局間インタフェース（例えば、Ｘ２インタフェース）が使用できない状況に対応する。
【００６４】
図６において、始めに、移動端末１０１は、ソース基地局１１１（ソースセル１３１）に接続され、ソース基地局１１１を介して通信している。同時に、移動端末１０１は、ターゲット基地局１１２の近くに位置している。その後、ソース基地局１１１は、移動端末１０１のターゲットセル１３２（ターゲット基地局１１２）への外向きハンドオーバを決定し、この外向きハンドオーバを開始する。図６の例では、ソース基地局１１１は、ハンドオーバを開始するためにハンドオーバ指示（例えば、HO Commandメッセージ）を移動端末１０１に送信する。既に述べたように、ハンドオーバの開始は、ソース基地局１１１からネットワークノード１４１（例えば、ＭＭＥ）へのハンドオーバ要求（例えば、Handover Requiredメッセージ）の送信に対応付けられてもよい。また、ハンドオーバの開始は、ハンドオーバをトリガーする情報（例えば、Measurement Report）のソース基地局１１１による受信に対応付けられてもよい。
【００６５】
そして、ソース基地局１１１は、移動端末１０１のターゲットセル１３２へのハンドオーバの完了に応じて送信されるハンドオーバ完了通知（例えば、ＭＭＥからの"UE Context Release Command"メッセージ）を受信する。しかしながら、ハンドオーバ完了直後に移動端末１０１はターゲットセル１３２でのＲＬＦを経験する。その後、移動端末１０１は、ソースセル１３１の無線品質が良好であることを検知し、ソースセル１３１（ソース基地局１１１）に対して接続再確立の要求を送信する。なお、ターゲットセル１３２へのハンドオーバの実行中に、移動端末１０１がターゲットセル１３２でのＲＬＦを経験する場合もある。この場合には、図６に示されたハンドオーバ完了通知はソース基地局１１１に送信されない。
【００６６】
図６のソース基地局１１１（すなわち、ＨＯ失敗検出部１２１）は、ターゲット基地局１１２から情報（例えば、HANDOVER REPORTメッセージ及びRLF INDICATIONメッセージ）を受信すること無く、Too Early Handoverを検出する。第１の例として、ＨＯ失敗検出部１２１は、移動端末１０１の外向きハンドオーバの開始に依存する所定期間Ｔ２内に移動端末１０１からソースセル１３１（ソース基地局１１１）への接続再確立の要求が受信された場合に、Too Early Handoverを検出してもよい。第２の例として、ＨＯ失敗検出部１２１は、移動端末１０１の外向きハンドオーバの開始後かつハンドオーバの完了前（例えば、ハンドオーバ完了通知の受信前）に、移動端末１０１からソースセル１３１（ソース基地局１１１）への接続再確立の要求が受信された場合に、Too Early Handoverを検出してもよい。また、第３の例として、ＨＯ失敗検出部１２１は、ハンドオーバの完了（例えば、ハンドオーバ完了通知の受信）に依存する所定期間Ｔ３内に移動端末１０１からソースセル１３１（ソース基地局１１１）への接続再確立の要求が受信された場合に、Too Early Handoverを検出してもよい。
【００６７】
図７は、Too Early Handover 検出手順の第１の例を示すフローチャートである。ステップＳ４１では、ソース基地局１１１は、ソースセル１３１からターゲットセル１３２への移動端末１０１のハンドオーバを開始する。ハンドオーバの開始は、移動端末１０１へのハンドオーバ指示の送信でもよいし、ネットワークノード１４１へのハンドオーバ要求の送信でもよいし、ハンドオーバをトリガーする情報の移動端末１０１からの受信であってもよい。ステップＳ４２では、ソース基地局１１１は、ハンドオーバ開始に応じて、所定期間Ｔ２を計測するためのタイマを開始する。ステップＳ４３では、ソース基地局１１１は、ターゲットセル１３２でＲＬＦを経験した移動端末１０１から接続再確立の要求を受信する。ステップＳ４４では、ソース基地局１１１（すなわち、ＨＯ失敗検出部１２１）は、タイマの満了前にソースセル１３１（ソース基地局１１１）において移動端末１０１の接続再確立イベントが発生したことに応じて、移動端末１０１に関して試行されたハンドオーバがToo Early Handover であることを検出する。
【００６８】
図８は、Too Early Handover 検出手順の第２の例を示すフローチャートである。ステップＳ５１は、図７のステップＳ４１と同様である。すなわち、ステップＳ５１では、ソース基地局１１１は、ソースセル１３１からターゲットセル１３２への移動端末１０１のハンドオーバを開始する。ステップＳ５２では、ソース基地局１１１は、移動端末１０１の外向きハンドオーバの開始後かつその完了前に、ターゲットセル１３２でＲＬＦを経験した移動端末１０１から接続再確立の要求を受信する。ステップＳ５３では、ソース基地局１１１（すなわち、ＨＯ失敗検出部１２１）は、移動端末１０１の外向きハンドオーバの開始後かつその完了前に移動端末１０１から接続再確立の要求を受信したことに応じて、移動端末１０１に関して試行されたハンドオーバがToo Early Handover であることを検出する。
【００６９】
図９は、Too Early Handover 検出手順の第３の例を示すフローチャートである。ステップＳ６１では、ソースセル１３１からターゲットセル１３２への移動端末１０１のハンドオーバが完了する。例えば、ソース基地局１１１は、ネットワークノード１４１からハンドオーバ完了通知（例えば、UE Context Release Commandメッセージ）を受信する。ステップＳ６２では、ソース基地局１１１は、ハンドオーバ完了に応じて、所定期間Ｔ３を計測するためのタイマを開始する。ステップＳ６３では、ソース基地局１１１は、ターゲットセル１３２でＲＬＦを経験した移動端末１０１から接続再確立の要求を受信する。ステップＳ６４では、ソース基地局１１１（すなわち、ＨＯ失敗検出部１２１）は、タイマの満了前にソースセル１３１（ソース基地局１１１）において移動端末１０１の接続再確立イベントが発生したことに応じて、移動端末１０１に関して試行されたハンドオーバがToo Early Handover であることを検出する。
【００７０】
図１０は、Too Early Handover 検出手順の第４の例を示すフローチャートである。ステップＳ７１では、ＨＯ失敗検出部１２１は、ソースセル１３１（ソース基地局１１１）から移動端末１０１にハンドオーバ指示（例えば、HO Commandメッセージ）が送信されたかを判定する。ハンドオーバ指示が送信された場合（ステップＳ２１でＹＥＳ）、ＨＯ失敗検出部１２１は、移動端末１０１（つまり、ハンドオーバ指示の送信先）の識別子（例えば、Ｃ−ＲＮＴＩ）を取得して保持する（ステップＳ７２）。ステップＳ７３では、ＨＯ失敗検出部１２１は、移動端末１０１の外向きハンドオーバに関するハンドオーバ完了通知が受信されたかを判定する。ハンドオーバ完了通知が受信された場合（ステップＳ７３でＹＥＳ）、ＨＯ失敗検出部１２１は、ターゲットセル１３２における移動端末１０１の識別子（例えば、Ｃ−ＲＮＴＩ）を取得して保持する（ステップＳ７４）。ターゲットセル１３２における移動端末１０１の識別子（つまりターゲットセル１３２によって移動端末１０１に割り当てられた識別子）は、例えば、ステップＳ７１の直前にソース基地局１１１がネットワークノード１４１から受信したハンドオーバ指示（例えば、HO Commandメッセージ）を参照することで取得できる。
【００７１】
ステップＳ７５では、ＨＯ失敗検出部１２１は、移動端末１０１からソースセル１３１への接続再確立の要求が受信されたかを判定する。接続再確立の要求が受信された場合（ステップＳ７５でＹＥＳ）、ＨＯ失敗検出部１２１は、移動端末１０１に関して試行されたハンドオーバがToo Early Handover であることを検出する（ステップＳ７６）。一方、接続再確立の要求が未受信である場合（ステップＳ７５でＮＯ）、ＨＯ失敗検出部１２１は、ハンドオーバの開始から所定期間Ｔ２が経過するまでの間、接続再確立の要求の受信判定を繰り返す（ステップＳ７７）。
【００７２】
なお、ステップＳ７５では、ターゲットセル１３２への外向きハンドオーバを試みた移動端末と接続再確立の要求の送信元移動端末の同一性を判定するために、ステップＳ７２又はＳ７４で保持された識別子を接続再確立の要求に含まれる識別子と照合すればよい。このことから理解されるように、ステップＳ７３及びＳ７４は、接続再確立の要求と照合される端末識別子をハンドオーバの完了前後で変更するために行われる。したがって、ハンドオーバの完了前後で変化しない端末識別子を照合のために利用できる場合は、ステップＳ７３及びＳ７４の処理は省略されてもよい。
【００７３】
図１１は、ＨＯパラメータ調整部１５１によるＨＯパラメータ調整手順の一例を示すフローチャートである。図１１の例では、ＨＯパラメータ調整部１５１は、Too Late Handover及びToo Early Handoverの検出に応じてＨＯパラメータの調整を行う。Too Late Handoverは、上述した第２の実施形態に従って検出されてもよい。ステップＳ８１では、ＨＯパラメータ調整部１５１は、図５のステップＳ３１と同様に、ソースセル１３１からターゲットセル１３２へのハンドオーバに関するToo Late Handoverの発生率Ｒ＿ＴＬを算出する。ステップＳ８２では、ＨＯパラメータ調整部１５１は、ＨＯ失敗検出部１２１から受信したフィードバック情報に基づいて、ソースセル１３１からターゲットセル１３２へのハンドオーバに関するToo Early Handoverの発生率Ｒ＿ＴＥを算出する。フィードバック情報は、例えば、ターゲットセル１３２を含む周辺セル毎のToo Late Handoverの検出数、Too Early Handoverの検出数およびハンドオーバ試行回数等のハンドオーバ統計情報を含む。Too Early Handoverの発生率Ｒ＿ＴＥは、Too Early Handoverの検出数をソースセル１３１からの外向きハンドオーバの試行回数によって除算した値とされてもよい。
【００７４】
ＨＯパラメータ調整部１５１は、Ｒ＿ＴＬ及びＲ＿ＴＥの和が所定の閾値Ｒ＿ＴＨ２より大きいことに応じて、ＨＯパラメータを調整する（ステップＳ８３）。具体的には、Too Late Handoverの発生率Ｒ＿ＴＬがToo Early Handoverの発生率Ｒ＿ＴＥより大きい場合（ステップＳ８４でＹＥＳ）、Too Late Handover低減のためのＨＯパラメータ調整が行われる（ステップＳ８５）。これに対して、Too Early Handoverの発生率Ｒ＿ＴＥがToo Late Handoverの発生率Ｒ＿ＴＬ以上である場合（ステップＳ８４でＮＯ）、Too Early Handover低減のためのＨＯパラメータ調整が行われる（ステップＳ８６）。ステップＳ８６のＨＯパラメータの調整では、ターゲットセル１３２の無線品質に作用するＣＩＯが所定ステップサイズだけ減少されてもよい。また、ソースセル１３１に適用されるＴＴＴが所定ステップサイズだけ増加されもよい。また、ソースセル１３１の無線品質に作用するA3-offsetが所定ステップサイズだけ増加されもよい。なおステップＳ８５では、ステップＳ８６とは逆方向にＨＯパラメータを増加又は減少させる調整を行えばよい。
【００７５】
以上の説明から理解されるように、本実施形態に係るＨＯ失敗検出部１２１は、ターゲット基地局１１２から情報（例えば、HANDOVER REPORTメッセージ及びRLF INDICATIONメッセージ）を受信すること無く、Too Early Handoverを検出できる。また、ＨＯパラメータ調整部１５１は、ターゲット基地局１１２から情報（例えば、HANDOVER REPORTメッセージ及びRLF INDICATIONメッセージ）の受信に依らず、Too Early Handoverを低減するためのＨＯパラメータの調整を行うことができる。
【００７６】
＜第４の実施形態＞
本実施形態では、ソースセル１３１からターゲットセル１３２へのハンドオーバに関するHandover to Wrong Cellの検出について説明する。本実施形態に係る無線通信システム１００の構成例は図１と同様である。図１２は、Handover to Wrong Cellが発生する状況を示している。なお、図１２は、ターゲット基地局１１２が他の２つの基地局（すなわち、ソース基地局１１１及び周辺基地局１１３）との間で情報（例えば、HANDOVER REPORTメッセージ及びRLF INDICATIONメッセージ）を送受できない状況を想定している。一方、ソース基地局１１１は、周辺基地局１１３と通信可能であり、周辺基地局１１３からハンドオーバ（ＨＯ）失敗情報を受信する。ＨＯ失敗情報は、ソース基地局１１１と周辺基地局１１３の間の基地局間インタフェース（例えば、Ｘ２インタフェース）によって送信されてもよいし、ネットワーク１４０を介して送信されてもよい。
【００７７】
図１２において、始めに、移動端末１０１は、ソース基地局１１１（ソースセル１３１）に接続され、ソース基地局１１１を介して通信している。同時に、移動端末１０１は、ターゲット基地局１１２及び周辺基地局１１３の近くに位置している。その後、ソース基地局１１１は、移動端末１０１のターゲットセル１３２（ターゲット基地局１１２）への外向きハンドオーバを決定し、この外向きハンドオーバを開始する。図１２の例では、ソース基地局１１１は、ハンドオーバを開始するためにハンドオーバ指示（例えば、HO Commandメッセージ）を移動端末１０１に送信する。既に述べたように、ハンドオーバの開始は、ソース基地局１１１からネットワークノード１４１（例えば、ＭＭＥ）へのハンドオーバ要求（例えば、Handover Requiredメッセージ）の送信に対応付けられてもよい。また、ハンドオーバの開始は、ハンドオーバをトリガーする情報（例えば、Measurement Report）のソース基地局１１１による受信に対応付けられてもよい。
【００７８】
そして、ソース基地局１１１は、移動端末１０１のターゲットセル１３２へのハンドオーバの完了に応じて送信されるハンドオーバ完了通知（例えば、ＭＭＥからの"UE Context Release Command"メッセージ）を受信する。しかしながら、ハンドオーバ完了直後に移動端末１０１はターゲットセル１３２でのＲＬＦを経験する。その後、移動端末１０１は、周辺セル１３３の無線品質が良好であることを検知し、周辺セル１３３（周辺基地局１１３）に対して接続再確立の要求を送信する。なお、ターゲットセル１３２へのハンドオーバの実行中に、移動端末１０１がターゲットセル１３２でのＲＬＦを経験する場合もある。この場合には、図１２に示されたハンドオーバ完了通知はソース基地局１１１に送信されない。
【００７９】
図１２のソース基地局１１１及び周辺基地局１１３は、ターゲット基地局１１２から情報（例えば、HANDOVER REPORTメッセージ及びRLF INDICATIONメッセージ）を受信すること無く、Handover to Wrong Cellを検出する処理を協調して行う。具体的には、ＨＯ失敗検出部１２１は、Handover to Wrong Cell検出のために、周辺基地局１１３から通知されたＨＯ失敗情報を用いる。
【００８０】
第１の例として、ＨＯ失敗検出部１２１は、（ａ）移動端末１０１からソースセル１３１への接続再確立の要求が、移動端末１０１の外向きハンドオーバの開始に依存する所定期間Ｔ４内に受信されないこと、及び（ｂ）移動端末１０１が周辺セル１３３に所定期間Ｔ４内に接続再確立を要求したことを示すＨＯ失敗情報が受信されたことに応じて、Handover to Wrong Cellを検出してもよい。移動端末１０１が周辺セル１３３に接続再確立を要求したタイミングを判定するための所定期間は、ソースセル１３１への再確立要求の受信判定のための所定期間と異なる時間であってもよい。
【００８１】
第２の例として、ＨＯ失敗検出部１２１は、（ａ）移動端末１０１からソースセル１３１への接続再確立の要求が、移動端末１０１の外向きハンドオーバの開始後かつハンドオーバの完了前（例えば、ハンドオーバ完了通知の受信前）に受信されないこと、及び（ｂ）移動端末１０１が周辺セル１３３にハンドオーバ完了前に接続再確立を要求したことを示すＨＯ失敗情報が受信されたことに応じて、Handover to Wrong Cellを検出してもよい。
【００８２】
また、第３の例として、ＨＯ失敗検出部１２１は、（ａ）移動端末１０１からソースセル１３１への接続再確立の要求が、移動端末１０１の外向きハンドオーバの完了に依存する所定期間Ｔ５内に受信されないこと、及び（ｂ）移動端末１０１が周辺セル１３３に所定期間Ｔ５内に接続再確立を要求したことを示すＨＯ失敗情報が受信されたことに応じて、Handover to Wrong Cellを検出してもよい。移動端末１０１が周辺セル１３３に接続再確立を要求したタイミングを判定するための所定期間は、ソースセル１３１への再確立要求の受信判定のための所定期間と異なる時間であってもよい。
【００８３】
なお、例えば周辺基地局１１３によるＨＯ失敗情報の送信が十分に速やかに行われる場合、ＨＯ失敗検出部１２１は、ＨＯ失敗情報が所定期間内に受信されたか否かに基づいてHandover to Wrong Cellを検出してもよい。例えば、上述の第１の例において、ＨＯ失敗検出部１２１は、移動端末１０１からソースセル１３１への接続再確立の要求が所定期間Ｔ４内に受信されず、かつＨＯ失敗情報が所定期間Ｔ４内に受信されたことに応じて、Handover to Wrong Cellを検出してもよい。上述の第２の例において、ＨＯ失敗検出部１２１は、移動端末１０１の外向きハンドオーバの開始後かつハンドオーバの完了前に、移動端末１０１からソースセル１３１への接続再確立の要求が受信されること無くＨＯ失敗情報が受信されたことに応じて、Handover to Wrong Cellを検出してもよい。上述の第３の例において、ＨＯ失敗検出部１２１は、移動端末１０１からソースセル１３１への接続再確立の要求が所定期間Ｔ５内に受信されず、かつＨＯ失敗情報が所定期間Ｔ５内に受信されたことに応じて、Handover to Wrong Cellを検出してもよい。これらの変形例においても、ＨＯ失敗情報の受信判定のための所定期間は、ソースセル１３１への再確立要求の受信判定のための所定期間と異なる時間であってもよい。
【００８４】
周辺基地局１１３に配置されたＨＯ失敗情報生成部１２３は、ターゲット基地局１１２から情報を受信すること無くＨＯ失敗情報を生成し、これをソース基地局１１１に通知する。ＨＯ失敗情報は、以下の情報を含んでもよい：
・ハンドオーバ失敗のソースセル（すなわちセル１３１）の識別子（例えば、ＰＣＩ）、
・ハンドオーバ失敗のターゲットセル（すなわちセル１３２）の識別子（例えば、ＰＣＩ）、
・ターゲットセルでのＲＬＦ後に移動端末１０１が接続再確立を試行したセル（すなわちセル１３３）の識別子（例えば、ＰＣＩ）、及び
・ターゲットセルでのＲＬＦを経験した移動端末１０１の識別子（例えばＣ−ＲＮＴＩ）。
なお、これらのセルのＥＣＧＩを特定できる場合には、ＰＣＩの代わりにＥＣＧＩを含めてソース基地局１１１に通知してもよい。
【００８５】
ＨＯ失敗情報生成部１２２は、移動端末１０１の周辺セル１３３での接続再確立の以前の所定期間内に移動端末１０１に対してターゲットセル１３２へのハンドオーバを要求したソース基地局が存在するか否かを検出してもよい。そして、ソース基地局が検出された場合に、そのソース基地局に対してＨＯ失敗情報を送信すればよい。言い換えると、ＨＯ失敗情報は、移動端末１０１の周辺セル１３３での接続再確立の以前の所定期間内に移動端末１０１のハンドオーバが開始されていた場合に送信されてもよい。ソース基地局が存在するか否かを検出するために、ＨＯ失敗情報生成部１２２は、周辺基地局１１３と通信可能な１又は複数の周辺基地局（基地局１１１を含む）に対して問い合わせを行うことによってソース基地局を探索してもよい。例えば、ＨＯ失敗情報生成部１２２は、周辺セル１３３からハンドオーバが可能なセル（e.g. 隣接セルリストに登録されたセル）を管理する基地局に対して問い合わせを行なってもよい。また、ＨＯ失敗情報生成部１２２は、移動端末１０１の移動履歴を移動端末１０１から受信してもよい。当該移動履歴は、移動端末１０１が過去に接続した基地局、ハンドオーバ履歴を示してもよい。当該履歴は、接続再確立を要求する際に移動端末１０１から基地局１１３に送信されてもよい。
【００８６】
図１３は、Handover to Wrong Cell検出手順の第１の例を示すフローチャートである。ステップＳ９１では、ソース基地局１１１は、ソースセル１３１からターゲットセル１３２への移動端末１０１のハンドオーバを開始する。ハンドオーバの開始は、移動端末１０１へのハンドオーバ指示の送信でもよいし、ネットワークノード１４１へのハンドオーバ要求の送信でもよいし、ハンドオーバをトリガーする情報の移動端末１０１からの受信であってもよい。ステップＳ９２では、ソース基地局１１１は、ハンドオーバ開始に応じて、所定期間Ｔ４を計測するためのタイマを開始する。ステップＳ９３では、ソース基地局１１１は、ターゲットセル１３２でＲＬＦを経験した移動端末１０１から接続再確立の要求を受信すること無く、ＨＯ失敗情報を周辺基地局１１３から受信する。ステップＳ９４では、ソース基地局１１１（すなわち、ＨＯ失敗検出部１２１）は、タイマの満了前にソースセル１３１への接続再確立の要求を受信すること無く周辺基地局１１３からＨＯ失敗情報を受信したことに応じて、移動端末１０１に関して試行されたハンドオーバがHandover to Wrong Cellであることを検出する。つまり、ＨＯ失敗検出部１２１は、移動端末１０１の適切なハンドオーバ先が周辺セル１３３であることを検出する。
【００８７】
図１４は、Handover to Wrong Cell検出手順の第２の例を示すフローチャートである。ステップＳ１０１は、図１３のステップＳ９１と同様である。すなわち、ステップＳ１０１では、ソース基地局１１１は、ソースセル１３１からターゲットセル１３２への移動端末１０１のハンドオーバを開始する。ステップＳ１０２では、ソース基地局１１１は、移動端末１０１の外向きハンドオーバの開始後かつその完了前に、ターゲットセル１３２でＲＬＦを経験した移動端末１０１から接続再確立の要求を受信すること無く、ＨＯ失敗情報を周辺基地局１１３から受信する。ステップＳ１０３では、ソース基地局１１１（すなわち、ＨＯ失敗検出部１２１）は、移動端末１０１の外向きハンドオーバの開始後かつその完了前に、ソースセル１３１への接続再確立の要求を受信すること無く周辺基地局１１３からＨＯ失敗情報を受信したことに応じて、移動端末１０１の外向きハンドオーバがHandover to Wrong Cellであることを検出する。
【００８８】
図１５は、Handover to Wrong Cell検出手順の第３の例を示すフローチャートである。ステップＳ１１１では、ソースセル１３１からターゲットセル１３２への移動端末１０１のハンドオーバが完了する。例えば、ソース基地局１１１は、ネットワークノード１４１からハンドオーバ完了通知（例えば、UE Context Release Commandメッセージ）を受信する。ステップＳ１１２では、ソース基地局１１１は、ハンドオーバ完了に応じて、所定期間Ｔ５を計測するためのタイマを開始する。ステップＳ１１３では、ソース基地局１１１は、ターゲットセル１３２でＲＬＦを経験した移動端末１０１から接続再確立の要求を受信すること無く、ＨＯ失敗情報を周辺基地局１１３から受信する。ステップＳ１１４では、ソース基地局１１１（すなわち、ＨＯ失敗検出部１２１）は、タイマの満了前にソースセル１３１への接続再確立の要求を受信すること無く周辺基地局１１３からＨＯ失敗情報を受信したことに応じて、移動端末１０１に関して試行されたハンドオーバがHandover to Wrong Cellであることを検出する。
【００８９】
図１６は、Handover to Wrong Cell 検出手順の第４の例を示すフローチャートである。図１６のステップＳ１２１〜Ｓ１２４における処理は、図１０に示したステップＳ７１〜Ｓ７４における処理と同様とすればよい。ステップＳ１２５では、ＨＯ失敗検出部１２１は、移動端末１０１からソースセル１３１への接続再確立の要求が受信されたかを判定する。接続再確立の要求が受信されない場合（ステップＳ１２５でＮＯ）、ＨＯ失敗検出部１２１は、ハンドオーバの開始から所定期間Ｔ４が経過するまでの間、接続再確立の要求の受信判定を繰り返す（ステップＳ１２６）。そして、移動端末１０１からの接続再確立の要求が所定期間Ｔ４内に受信されなかった場合ステップＳ１２６でＹＥＳ）、ＨＯ失敗検出部１２１は、移動端末１０１に関するＨＯ失敗情報を周辺基地局１１３から受信したかを判定する（ステップＳ１２７）。より詳細に述べると、ステップＳ１２７では、ＨＯ失敗検出部１２１は、移動端末１０１が周辺セル１３３に所定期間Ｔ４内に接続再確立を要求したことを示すＨＯ失敗情報を受信したかを判定すればよい。移動端末１０１に関するＨＯ失敗情報が受信された場合（ステップＳ１２７でＹＥＳ）、ＨＯ失敗検出部１２１は、移動端末１０１に関して試行されたハンドオーバがHandover to Wrong Cellであることを検出する（ステップＳ１２８）。
【００９０】
図１７は、ハンドオーバ失敗情報の通知手順の第１の例を示すフローチャートである。ステップＳ１３１では、周辺基地局１１３は、周辺セル１３３への接続再確立の要求を移動端末１０１から受信する。この接続再確立の要求は、移動端末１０１がターゲットセル１３２においてＲＬＦを経験したことを示す。ステップＳ１３２では、ＨＯ失敗情報生成部１２２は、移動端末１０１の接続再確立の受信以前の所定期間内に、移動端末１０１に対してターゲットセル１３２へのハンドオーバを要求したソースセル（ソース基地局）を検出する。ステップＳ１３３では、ＨＯ失敗情報生成部１２２は、検出したソース基地局にハンドオーバ失敗情報を通知する。
【００９１】
図１８は、ハンドオーバ失敗情報の通知手順の第２の例を示すフローチャートである。ステップＳ１４１では、ＨＯ失敗情報生成部１２２は、移動端末１０１から周辺セル１３３への接続再確立の要求が受信されたかを判定する。接続再確立の要求が受信された場合（ステップＳ１４１でＹＥＳ）、ＨＯ失敗情報生成部１２２は、移動端末１０１が直前に滞在したセル（セルＡ）の識別子（例えば、ＰＣＩ）を取得して保持する。セルＡの識別子は、接続再確立の要求に含まれてもよい。ステップＳ１４３では、ＨＯ失敗情報生成部１２２は、移動端末の接続再確立前（又は再確立要求の受信前）の所定期間内に、移動端末１０１のハンドオーバをセルＡに対して要求したソースセル（セルＢ）を探索する。そして、セルＢが見つかった場合（ステップＳ１４４でＹＥＳ）、ＨＯ失敗情報生成部１２２は、セルＢにＨＯ失敗情報を通知する。図１２の例では、セルＢはソースセル１３１に相当する。
【００９２】
図１９は、ＨＯパラメータ調整部１５１によるＨＯパラメータ調整手順の一例を示すフローチャートである。図１１の例では、ＨＯパラメータ調整部１５１は、Too Late Handover、Too Early Handover、及びHandover to Wrong Cellの検出に応じてＨＯパラメータの調整を行う。Too Late Handover及びToo Early Handoverは、上述した第２及び第３の実施形態に従って検出されてもよい。ステップＳ１５１及び１５２では、ＨＯパラメータ調整部１５１は、図１１のステップＳ８１及びＳ８２と同様に、ソースセル１３１からターゲットセル１３２へのハンドオーバに関するToo Late Handoverの発生率Ｒ＿ＴＬ、及びToo Early Handoverの発生率Ｒ＿ＴＥを算出する。
【００９３】
ステップＳ１５３では、ＨＯパラメータ調整部１５１は、ＨＯ失敗検出部１２１から受信したフィードバック情報に基づいて、セル１３２を不適切なターゲットセルとするHandover to Wrong Cell-Fの発生率Ｒ＿ＷＣＦを算出する。また、ステップＳ１５４では、ＨＯパラメータ調整部１５１は、セル１３２を再接続セル（すなわち真のターゲットセル）とするHandover to Wrong Cell-Rの発生率Ｒ＿ＷＣＲを算出する。
【００９４】
ＨＯパラメータ調整部１５１は、Ｒ＿ＴＬ、Ｒ＿ＴＥ、Ｒ＿ＷＣＦ、及びＲ＿ＷＣＲの総和が所定の閾値Ｒ＿ＴＨ３より大きいことに応じて、ＨＯパラメータを調整する（ステップＳ１５５）。具体的には、（Ｒ＿ＴＬ＋Ｒ＿ＷＣＲ）が（Ｒ＿ＴＥ＋Ｒ＿ＷＣＦ）より大きい場合（ステップＳ１５６でＹＥＳ）、セル１３２へのToo Late Handover及びHandover to Wrong Cell-Rを低減するためのＨＯパラメータ調整が行われる（ステップＳ１５７）。これに対して、（Ｒ＿ＴＥ＋Ｒ＿ＷＣＦ）が（Ｒ＿ＴＬ＋Ｒ＿ＷＣＲ）以上である場合（ステップＳ１５６でＮＯ）、セル１３２へのToo Early Handover及びHandover to Wrong Cell-Fを低減するためのＨＯパラメータ調整が行われる（ステップＳ１５８）。ステップＳ１５８のＨＯパラメータの調整では、セル１３２の無線品質に作用するＣＩＯが所定ステップサイズだけ減少されてもよい。また、セル１３１に適用されるＴＴＴが所定ステップサイズだけ増加されもよい。また、セル１３１の無線品質に作用するA3-offsetが所定ステップサイズだけ増加されもよい。なおステップＳ１５７では、ステップＳ１５８とは逆方向にＨＯパラメータを増加又は減少させる調整を行えばよい。
【００９５】
以上の説明から理解されるように、本実施形態に係るＨＯ失敗検出部１２１及びＨＯ失敗情報生成部１２２は、ソース基地局１１１及び周辺基地局１１３がターゲット基地局１１２からの情報（例えば、HANDOVER REPORTメッセージ及びRLF INDICATIONメッセージ）を受信できない状況において、Handover to Wrong Cellを検出することができる。このHandover to Wrong Cellは、ターゲットセル１３２が不適切なターゲットセルであり、周辺基地局１１３に属するセル１３３が再接続セル（すなわち真のターゲットセル）であることを意味する。また、ＨＯパラメータ調整部１５１は、同様の状況において、Handover to Wrong Cellを低減するためのＨＯパラメータの調整を行うことができる。
【００９６】
＜第５の実施形態＞
本実施形態では、ソースセル１３１からターゲットセル１３２へのハンドオーバに関するHandover to Wrong Cellの検出について説明する。なお、上述した第４の実施形態では、ターゲット基地局１１２が他の２つの基地局（ソース基地局１１１、周辺基地局１１３）との間で情報送受不能である例を示した。これに対して、本実施形態は、周辺基地局１１３が他の２つの基地局（ソース基地局１１１、ターゲット基地局１１２）との間で情報送受不能である例について説明する。本実施形態に係る無線通信システム１００の構成例は図１と同様とすればよい。
【００９７】
図２０は、Handover to Wrong Cellが発生する状況を示している。図２０では、周辺基地局１１３は、他の２つの基地局（ソース基地局１１１、ターゲット基地局１１２）との間で情報（例えば、HANDOVER REPORTメッセージ及びRLF INDICATIONメッセージ）を送受できない。一方、ソース基地局１１１は、ターゲット基地局１１２と通信可能であり、ターゲット基地局１１２からハンドオーバ（ＨＯ）失敗情報を受信する。ＨＯ失敗情報は、ソース基地局１１１とターゲット基地局１１２の間の基地局間インタフェース（例えば、Ｘ２インタフェース）によって送信されてもよいし、ネットワーク１４０を介して送信されてもよい。
【００９８】
図２０において、始めに、移動端末１０１は、ソース基地局１１１（ソースセル１３１）に接続され、ソース基地局１１１を介して通信している。同時に、移動端末１０１は、ターゲット基地局１１２及び周辺基地局１１３の近くに位置している。その後、ソース基地局１１１は、移動端末１０１のターゲットセル１３２（ターゲット基地局１１２）への外向きハンドオーバを決定し、この外向きハンドオーバを開始する。図２０の例では、ソース基地局１１１は、ハンドオーバを開始するためにハンドオーバ指示（例えば、HO Commandメッセージ）を移動端末１０１に送信する。既に述べたように、ハンドオーバの開始は、ソース基地局１１１からターゲット基地局１１２へのハンドオーバ要求（例えば、Handover Requestメッセージ）の送信に対応付けられてもよい。また、ハンドオーバの開始は、ハンドオーバをトリガーする情報（例えば、Measurement Report）のソース基地局１１１による受信に対応付けられてもよい。
【００９９】
そして、ソース基地局１１１は、移動端末１０１のターゲットセル１３２へのハンドオーバの完了に応じて送信されるハンドオーバ完了通知（例えば、 "UE Context Release"メッセージ）を受信する。しかしながら、ハンドオーバ完了直後に移動端末１０１はターゲットセル１３２でのＲＬＦを経験する。その後、移動端末１０１は、周辺セル１３３の無線品質が良好であることを検知し、周辺セル１３３（周辺基地局１１３）に対して接続再確立の要求を送信する。なお、ターゲットセル１３２へのハンドオーバの実行中に、移動端末１０１がターゲットセル１３２でのＲＬＦを経験する場合もある。この場合には、図２０に示されたハンドオーバ完了通知はソース基地局１１１に送信されない。
【０１００】
図２０のソース基地局１１１及びターゲット基地局１１２は、移動端末１０１が再接続した周辺セル１３３（すなわち真のターゲットセル）を管理する周辺基地局１１３から情報（例えば、HANDOVER REPORTメッセージ及びRLF INDICATIONメッセージ）を受信すること無く、Handover to Wrong Cellを検出する処理を協調して行う。具体的には、ソース基地局１１１に配置されたＨＯ失敗検出部１２１は、Handover to Wrong Cell検出のために、ターゲット基地局１１２から通知されたＨＯ失敗情報を用いる。ＨＯ失敗検出部１２１による検出手法の具体例は、ＨＯ失敗情報の送信元が異なる点を除いて、第４の実施形態で述べた第１〜第３の例と同様とすればよい。
【０１０１】
すなわち、第１の例として、ＨＯ失敗検出部１２１は、（ａ）移動端末１０１からソースセル１３１への接続再確立の要求が、移動端末１０１の外向きハンドオーバの開始に依存する所定期間Ｔ４内に受信されないこと、及び（ｂ）移動端末１０１がターゲットセル１３２において所定期間Ｔ４内にＲＬＦを経験したことを示すＨＯ失敗情報が受信されたことに応じて、Handover to Wrong Cellを検出してもよい。移動端末１０１がターゲットセル１３２においてＲＬＦを経験したタイミングを判定するための所定期間は、ソースセル１３１への再確立要求の受信判定のための所定期間と異なる時間であってもよい。
【０１０２】
第２の例として、ＨＯ失敗検出部１２１は、（ａ）移動端末１０１からソースセル１３１への接続再確立の要求が、移動端末１０１の外向きハンドオーバの開始後かつハンドオーバの完了前（例えば、ハンドオーバ完了通知の受信前）に受信されないこと、及び（ｂ）移動端末１０１がターゲットセル１３２においてハンドオーバ完了前にＲＬＦを経験したことを示すＨＯ失敗情報が受信されたことに応じて、Handover to Wrong Cellを検出してもよい。
【０１０３】
また、第３の例として、ＨＯ失敗検出部１２１は、（ａ）移動端末１０１からソースセル１３１への接続再確立の要求が、移動端末１０１の外向きハンドオーバの完了に依存する所定期間Ｔ５内に受信されないこと、及び（ｂ）移動端末１０１がターゲットセル１３２において所定期間Ｔ５内にＲＬＦを経験したことを示すＨＯ失敗情報が受信されたことに応じて、Handover to Wrong Cellを検出してもよい。移動端末１０１がターゲットセル１３２においてＲＬＦを経験したタイミングを判定するための所定期間は、ソースセル１３１への再確立要求の受信判定のための所定期間と異なる時間であってもよい。
【０１０４】
なお、例えば周辺基地局１１３によるＨＯ失敗情報の送信が十分に速やかに行われる場合、ＨＯ失敗検出部１２１は、ＨＯ失敗情報が所定期間内に受信されたか否かに基づいてHandover to Wrong Cellを検出してもよい。例えば、上述の第１の例において、ＨＯ失敗検出部１２１は、移動端末１０１からソースセル１３１への接続再確立の要求が所定期間Ｔ４内に受信されず、かつＨＯ失敗情報が所定期間Ｔ４内に受信されたことに応じて、Handover to Wrong Cellを検出してもよい。上述の第２の例において、ＨＯ失敗検出部１２１は、移動端末１０１の外向きハンドオーバの開始後かつハンドオーバの完了前に、移動端末１０１からソースセル１３１への接続再確立の要求が受信されること無くＨＯ失敗情報が受信されたことに応じて、Handover to Wrong Cellを検出してもよい。上述の第３の例において、ＨＯ失敗検出部１２１は、移動端末１０１からソースセル１３１への接続再確立の要求が所定期間Ｔ５内に受信されず、かつＨＯ失敗情報が所定期間Ｔ５内に受信されたことに応じて、Handover to Wrong Cellを検出してもよい。これらの変形例においても、ＨＯ失敗情報の受信判定のための所定期間は、ソースセル１３１への再確立要求の受信判定のための所定期間と異なる時間であってもよい。
【０１０５】
ターゲット基地局１１２に配置されたＨＯ失敗情報生成部１２３は、周辺基地局１１３から情報を受信すること無くＨＯ失敗情報を生成し、これをソース基地局１１１に通知する。ＨＯ失敗情報は、以下の情報を含んでもよい：
・ハンドオーバ失敗のソースセル（すなわちセル１３１）の識別子（例えば、ＰＣＩ）、
・ハンドオーバ失敗のターゲットセル（すなわちセル１３２）の識別子（例えば、ＰＣＩ）、
・ターゲットセルでのＲＬＦ後に移動端末１０１が接続再確立を試行するセル（すなわちセル１３３）の識別子（例えば、ＰＣＩ）、及び
・ターゲットセルでのＲＬＦを経験した移動端末１０１の識別子（例えばＣ−ＲＮＴＩ）。
なお、これらのセルのＥＣＧＩを特定できる場合には、ＰＣＩの代わりにＥＣＧＩを含めてソース基地局１１１に通知してもよい。
【０１０６】
ＨＯ失敗情報生成部１２３は、移動端末１０１がターゲットセル１３２に接続してから所定期間内に移動端末１０１の同期外れが検出されたことに応じて、ＨＯ失敗情報を送信してもよい。なお、移動端末１０１がターゲットセル１３２に接続したことは、例えば、ハンドオーバ手順において移動端末１０１からターゲットセル１３２に送信されるメッセージ（例えば、"Handover Confirm"メッセージ）がターゲット基地局１１２によって受信されたことによって検出すればよい。なお、同期外れを検出するための所定期間の起点は適宜設定することができる。例えば、所定期間の起点は、移動端末１０１のハンドオーバ完了時点とされてもよい。また、移動端末１０１の同期外れは、移動端末１０１の接続の異常な切断（ＲＬＦを含む）と表現することもできる。また、ターゲットセル１３２と移動端末１０１との間の同期外れは、例えば、ターゲット基地局１１２が移動端末１０１へパケットを送信後、所定期間内に移動端末１０１から応答メッセージ（ＡＣＫ）を受信しないことを契機として検出してもよい。
【０１０７】
ＨＯ失敗情報生成部１２３は、移動端末１０１の同期外れが発生した場合に、この移動端末１０１が接続再確立を試行するセルを推定する処理を実施する。そして、ＨＯ失敗情報生成部１２３は、推定されたセルの識別子をＨＯ失敗情報に含める。移動端末１０１が接続再確立を試行するセルを推定するために、ＨＯ失敗情報生成部１２３は、ターゲット基地局１１２によって移動端末１０１から受信済みの測定報告を用いてもよい。測定報告は、移動端末１０１が接続していたターゲットセル１３２の無線品質、及び周辺セル（セル１３１、セル１３３等）の無線品質の測定結果を含む。移動端末１０１は、一般的に、無線品質が最も良好なセルを選択し、当該セルに接続の再確立を試みる。したがって、測定報告のなかでターゲットセル１３２を除いて最も良好な無線品質が示された周辺セルが、接続再確立を試行するセルとして推定されてもよい。また、ＨＯ失敗情報生成部１２３は、測定報告に含まれるセルの中で無線品質が相対的に良好な複数のセルの識別子をＨＯ失敗情報に含めてもよい。
【０１０８】
なお、移動端末１０１からターゲットセル１３２への測定報告が、異常切断（又は同期外れ）の直前に行われるように、測定報告のトリガー条件を設定するとよい。例えば、移動端末１０１が接続するターゲットセル１３２の無線品質（Ｑｓ）と周辺セルの無線品質（Ｑｎ）が以下の（２）式を満たすことを測定報告のトリガー条件とすればよい。
Ｑｓ ＜ Ｑ＿ｔｈ１ かつ Ｑｎ ＞ Ｑ＿ｔｈ２      （２）
ここで、Ｑ＿ｔｈ１はＱｓに対する閾値であり、Ｑ＿ｔｈ２はＱｎに対する閾値である。（２）式のようなトリガー条件は、例えば、3GPP TS 36.331に規定されている。無線品質の所要値に比べて厳しい値、つまり閾値Ｑ＿ｔｈ１及びＱ＿ＴＨ２にマージン値を加えることで、異常切断の直前に測定報告が行われるように制御できる。また、無線品質としては、例えば3GPP TS 36.214に規定されているＲＳＲＰ（Reference Signal Received Power）またはＲＳＲＱ（Reference Signal Received Quality）を用いることができる。
【０１０９】
図２１〜２３は、本実施形態におけるHandover to Wrong Cell検出手順の第１〜第３の例を示すフローチャートである。なお、図２１〜２３のフローチャートは、ＨＯ失敗情報の送信元がターゲット基地局１１２である点を除いて、第４の実施形態で説明した図１３〜１５のフローチャートと同様である。したがって、ここではこれらのフローチャートに関する詳細説明を省略する。すなわち、図２１のステップＳ１６１〜Ｓ１６４は、図１３のステップＳ９１〜Ｓ９４にそれぞれ対応する。図２２のステップＳ１７１〜Ｓ１７３は、図１４のステップＳ１０１〜Ｓ１０３にそれぞれ対応する。また、図２３のステップＳ１８１〜Ｓ１８４は、図１５のステップＳ１１１〜Ｓ１１４にそれぞれ対応する。ただし、図２１のステップＳ１６３と図１３のステップＳ９３の対比から明らかであるように、ステップＳ１６３ではＨＯ失敗情報の送信元がターゲット基地局１１２である。図２２のステップＳ１７２及び図２３のステップＳ１８３についても同様である。
【０１１０】
図２４は、本実施形態におけるハンドオーバ失敗情報の通知手順の第１の例を示すフローチャートである。ステップＳ１９１では、ソースセル１３１からターゲットセル１３２への移動端末１０１のハンドオーバが完了する。例えば、ターゲット基地局１１２は、ハンドオーバ完了通知（e.g. UE Context Releaseメッセージ）をソース基地局１１１へ送信する。ステップＳ１９２では、ＨＯ失敗情報生成部１２３は、移動端末１０１のターゲットセル１３２へのハンドオーバが完了してから所定期間内に移動端末１０１の同期外れを検出する。ステップＳ１９３では、ＨＯ失敗情報生成部１２３は、移動端末１０１から受信済みの測定報告に基づいて、移動端末１０１が再確立を要求するセルを推定する。例えば、ＨＯ失敗情報生成部１２３は、測定報告において無線品質が最良のセルを選択してもよい。ステップＳ１９４では、ＨＯ失敗情報生成部１２３は、ソース基地局１１１（すなわち、ＨＯ失敗検出部１２１）にＨＯ失敗情報を通知する。
【０１１１】
図２５は、本実施形態におけるハンドオーバ失敗情報の通知手順の第２の例を示すフローチャートである。ステップＳ２０１では、ターゲット基地局１１２は、移動端末１０１がターゲットセル１３２に接続したかを判定する。移動端末１０１のセル１３２への接続は、ハンドオーバ手順において移動端末１０１から送信されるメッセージ（例えば、Handover Confirmメッセージ）がターゲット基地局１１２に受信されたことによって検出すればよい。ステップＳ２０２では、ターゲット基地局１１２は、移動端末１０１に対して測定報告を指示する。ステップＳ２０３では、ＨＯ失敗情報生成部１２３は、移動端末１０１のハンドオーバを開始したか否かを判定する。例えば、ターゲット基地局１１２は、移動端末１０１にハンドオーバ指示（例えば、Handover Commandメッセージ）を送信したかを確認すればよい。ステップＳ２０４では、ハンドオーバを開始していない状況で移動端末１０１の同期外れが発生したかを検出する。移動端末１０１の同期外れが発生してない場合（ステップＳ２０４でＮＯ）、ＨＯ失敗情報生成部１２３は、ターゲットセル１３２への移動端末１０１の接続（すなわちステップＳ２０１）から所定時間が経過するまで、ハンドオーバを開始していない状況での移動端末１０１の同期外れを継続的に監視する（ステップＳ２０５）。
【０１１２】
一方、移動端末１０１の同期外れが発生した場合（ステップＳ２０４でＹＥＳ）、ＨＯ失敗情報生成部１２３は、移動端末１０１から受信済みの測定報告の有無を確認する（ステップＳ２０６）。移動端末１０１から受信済みの測定報告が存在する場合（ステップＳ２０６でＹＥＳ）、ＨＯ失敗情報生成部１２３は、その測定報告を参照し、無線品質が最良のセルを示すハンドオーバ失敗情報を生成する。ステップＳ２０８では、ＨＯ失敗情報生成部１２３は、ソースセル１３１にハンドオーバ失敗情報を通知する。
【０１１３】
以上の説明から理解されるように、本実施形態に係るＨＯ失敗検出部１２１及びＨＯ失敗情報生成部１２３は、ソース基地局１１１及びターゲット基地局１１２が周辺基地局１１３からの情報（例えば、HANDOVER REPORTメッセージ及びRLF INDICATIONメッセージ）を受信できない状況において、Handover to Wrong Cellを検出することができる。このHandover to Wrong Cellは、ターゲットセル１３２が不適切なターゲットセルであり、周辺基地局１１３に属するセル１３３が再接続セル（すなわち真のターゲットセル）であることを意味する。また、ＨＯパラメータ調整部１５１は、同様の状況において、Handover to Wrong Cellを低減するためのＨＯパラメータの調整を行うことができる。
【０１１４】
＜その他の実施形態＞
上述した第１〜第５の実施形態は、適宜組み合わせて実施されてもよい。
【０１１５】
第１〜第５の実施形態で説明したＨＯ失敗検出部１２１、ＨＯ失敗情報生成部１２２及び１２３、並びにＨＯパラメータ調整部１５１により行われる処理は、Application Specific Integrated Circuit（ＡＳＩＣ）を含む半導体処理装置を用いて実現されてもよい。また、これらの処理は、少なくとも１つのプロセッサ（e.g. マイクロプロセッサ、ＭＰＵ、Digital Signal Processor（ＤＳＰ））を含むコンピュータシステムにプログラムを実行させることによって実現してもよい。具体的には、フローチャート等を用いて説明されたＨＯ失敗検出部１２１（又はＨＯ失敗情報生成部１２２若しくは１２３、又はＨＯパラメータ調整部１５１）に関するアルゴリズムをコンピュータシステムに行わせるための命令群を含む１又は複数のプログラムを作成し、当該プログラムをコンピュータに供給すればよい。
【０１１６】
このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１１７】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【０１１８】
この出願は、２０１２年６月２９日に出願された日本出願特願２０１２−１４７２８９を基礎とする優先権を主張し、その開示の全てをここに取り込む。
【符号の説明】
【０１１９】
１００  無線通信システム
１０１  移動端末
１１１〜１１３  基地局
１２１  ハンドオーバ（ＨＯ）失敗検出部
１２２、１２３  ハンドオーバ（ＨＯ）失敗情報生成部
１３１〜１３３  セル
１４０  ネットワーク
１４１  ネットワークノード
１５０  ネットワーク管理システム
１５１  ハンドオーバ（ＨＯ）パラメータ調整部
【図１】
2014002320.tif 000003
【図２】
2014002320.tif 000004
【図３】
2014002320.tif 000005
【図４】
2014002320.tif 000006
【図５】
2014002320.tif 000007
【図６】
2014002320.tif 000008
【図７】
2014002320.tif 000009
【図８】
2014002320.tif 000010
【図９】
2014002320.tif 000011
【図１０】
2014002320.tif 000012
【図１１】
2014002320.tif 000013
【図１２】
2014002320.tif 000014
【図１３】
2014002320.tif 000015
【図１４】
2014002320.tif 000016
【図１５】
2014002320.tif 000017
【図１６】
2014002320.tif 000018
【図１７】
2014002320.tif 000019
【図１８】
2014002320.tif 000020
【図１９】
2014002320.tif 000021
【図２０】
2014002320.tif 000022
【図２１】
2014002320.tif 000023
【図２２】
2014002320.tif 000024
【図２３】
2014002320.tif 000025
【図２４】
2014002320.tif 000026
【図２５】
2014002320.tif 000027
【手続補正書】
【提出日】平成26年9月26日(2014.9.26)
【手続補正１】
【補正対象書類名】特許請求の範囲
【補正対象項目名】全文
【補正方法】変更
【補正の内容】
【特許請求の範囲】
【請求項１】
（ａ）第１の基地局に属する第１のセルから第２の基地局に属する第２のセルへの移動端末の第１のハンドオーバに関するハンドオーバ完了通知の前記第１の基地局による受信の有無、及び（ｂ）前記第１のハンドオーバの開始後に発生する前記移動端末から前記第１のセルに対する接続再確立の要求の有無を観測することにより、前記第１のセルからの外向きハンドオーバに関する複数のハンドオーバ失敗種別のうち少なくとも一部を検出する検出手段を備える、
ハンドオーバ失敗検出装置。
【請求項２】
前記検出手段は、前記第１のハンドオーバの開始に依存する第１の所定期間内に前記ハンドオーバ完了通知が受信されず、かつ前記第１のハンドオーバの開始に依存する第２の所定期間内に前記接続再確立の要求が受信されない場合に、第１のハンドオーバ失敗種別を検出する、請求項１に記載のハンドオーバ失敗検出装置。
【請求項３】
前記検出手段は、前記第１のハンドオーバの開始に依存する第３の所定期間内に前記接続再確立の要求が受信された場合に、第２のハンドオーバ失敗種別を検出する、請求項１又は２に記載のハンドオーバ失敗検出装置。
【請求項４】
前記検出手段は、前記ハンドオーバ完了通知の受信より前に前記接続再確立の要求が受信された場合に、第２のハンドオーバ失敗種別を検出する、請求項１〜３のいずれか１項に記載のハンドオーバ失敗検出装置。
【請求項５】
前記検出手段は、前記ハンドオーバ完了通知の受信に依存する第４の所定期間内に前記接続再確立の要求が受信された場合に、第２のハンドオーバ失敗種別を検出する、請求項１〜４のいずれか１項に記載のハンドオーバ失敗検出装置。
【請求項６】
前記検出手段は、前記第１のハンドオーバの開始に依存する第５の所定期間内に前記接続再確立の要求が受信されず、かつ前記第１のハンドオーバの開始に依存する第６の所定期間内に前記第２の基地局からハンドオーバ失敗情報が受信された場合に、第３のハンドオーバ失敗種別を検出するよう動作し、
前記第３のハンドオーバ失敗種別は、前記第１のハンドオーバの実行中又は前記第１のハンドオーバの完了後に前記第２のセルでの異常な接続切断を経験した前記移動端末が前記第１及び第２のセルのいずれとも異なる第３のセルに接続再確立を試みる状況に対応する、
請求項１〜５のいずれか１項に記載のハンドオーバ失敗検出装置。
【請求項７】
前記ハンドオーバ失敗情報は、前記第２の基地局が、前記第３のセルを管理する第３の基地局から情報を受信することなく、前記第２のセルに接続しているときの前記移動端末による無線品質の測定情報に基づいて推定した前記第３のセルの識別子を含む、
請求項６に記載のハンドオーバ失敗検出装置。
【請求項８】
前記ハンドオーバ失敗情報は、前記第１のハンドオーバによる前記移動端末の前記第２のセルへの接続に依存する第７の所定期間内に前記移動端末が前記第２のセルでの異常な接続切断を経験したことに応じて送信される、請求項６又は７に記載のハンドオーバ失敗検出装置。
【請求項９】
前記検出手段は、前記第１のハンドオーバの開始に依存する第８の所定期間内に前記接続再確立の要求が受信されず、かつ前記第１のハンドオーバの開始に依存する第９の所定期間内に前記第１及び第２のセルのいずれとも異なる第３のセルを管理する第３の基地局からハンドオーバ失敗情報が受信された場合に、第３のハンドオーバ失敗種別を検出するよう動作し、
前記第３のハンドオーバ失敗種別は、前記第１のハンドオーバの実行中又は前記第１のハンドオーバの完了後に前記第２のセルでの接続切断を経験した前記移動端末が前記第１及び第２のセルのいずれとも異なる前記第３のセルに接続再確立を試みる状況に対応する、
請求項１〜５のいずれか１項に記載のハンドオーバ失敗検出装置。
【請求項１０】
前記ハンドオーバ失敗情報は、前記第３の基地局が、前記移動端末の前記第３のセルでの接続再確立の以前の第１０の所定期間内に前記移動端末の前記第２のセルへのハンドオーバを要求した基地局が存在することを検出したことに応じて送信される、請求項９に記載のハンドオーバ失敗検出装置。
【請求項１１】
前記ハンドオーバ完了通知は、前記第１の基地局が接続された上位ネットワークに属するネットワークノードまたは前記第２の基地局から前記第１の基地局に送信される、請求項１〜１０のいずれか１項に記載のハンドオーバ失敗検出装置。
【請求項１２】
前記ハンドオーバ完了通知は、ハンドオーバ手順において前記第１の基地局が受信するメッセージである、請求項１〜１１のいずれか１項に記載のハンドオーバ失敗検出装置。
【請求項１３】
前記検出手段は、前記少なくとも一部のハンドオーバ失敗種別の検出結果に基づいて、前記第１のセルからのハンドオーバに関するフィードバック情報を生成する、請求項１〜１２のいずれか１項に記載のハンドオーバ失敗検出装置。
【請求項１４】
前記フィードバック情報は、前記少なくとも一部のハンドオーバ失敗種別の発生数又は発生率を示す、請求項１３に記載のハンドオーバ失敗検出装置。
【請求項１５】
（ａ）第１の基地局に属する第１のセルから第２の基地局に属する第２のセルへの移動端末の第１のハンドオーバに関するハンドオーバ完了通知の前記第１の基地局による受信の有無、及び（ｂ）前記第１のハンドオーバの開始後に発生する前記移動端末から前記第１のセルに対する接続再確立の要求の有無に応じて、前記第１のセルからの外向きハンドオーバを制御するためのハンドオーバ・パラメータを調整する調整手段を備える、
ハンドオーバ・パラメータ調整装置。
【請求項１６】
前記調整手段は、前記第１のセルからの外向きハンドオーバに関する複数のハンドオーバ失敗種別のうち少なくとも一部の検出結果に基づくフィードバック情報を受信し、
前記少なくとも一部のハンドオーバ失敗種別の検出結果は、前記ハンドオーバ完了通知の受信の有無、及び前記接続再確立の要求の有無の観測により得られる、
請求項１５に記載のハンドオーバ・パラメータ調整装置。
【請求項１７】
前記調整手段は、前記フィードバック情報を解析することによって前記ハンドオーバ・パラメータを調整する、請求項１６に記載のハンドオーバ・パラメータ調整装置。
【請求項１８】
前記調整手段は、
前記少なくとも一部のハンドオーバ失敗種別の各々を前記ハンドオーバ・パラメータの複数の調整方向のいずれかに対応づけ、
前記複数の調整方向の各々について、各調整方向に対応付けられたハンドオーバ失敗種別の発生数又は発生率の総和を求め、
前記発生数又は発生率の総和が最も大きい調整方向に前記ハンドオーバ・パラメータを調整する、
請求項１６又は１７に記載のハンドオーバ・パラメータ調整装置。
【請求項１９】
前記ハンドオーバ・パラメータは、前記第１のセルの無線品質に作用する第１のオフセット、前記第２のセルの無線品質に作用する第２のオフセット、及び前記第１のセルに接続する移動端末による測定報告の送信を起動するための保護時間のうち少なくとも１つを含む、請求項１５〜１８のいずれか１項に記載のハンドオーバ・パラメータ調整装置。
【請求項２０】
第１の基地局に通知するためのハンドオーバ失敗情報を生成する生成手段を備え、
前記ハンドオーバ失敗情報は、前記第１の基地局に属する第１のセルから第２の基地局に属する第２のセルへの第１のハンドオーバの実行中又は前記第１のハンドオーバの完了後に前記第２のセルでの異常な接続切断を経験した移動端末が前記第１及び第２のセルのいずれとも異なる第３のセルに接続再確立を試みる状況に対応するハンドオーバ失敗種別を検出するために使用される、
ハンドオーバ失敗情報生成装置。
【請求項２１】
前記生成手段は、前記第２の基地局と結合され、
前記ハンドオーバ失敗情報は、前記生成手段が、前記第３のセルを管理する第３の基地局から情報を受信することなく、前記第２のセルに接続しているときの前記移動端末による無線品質の測定報告に基づいて推定した前記第３のセルの識別子を含む、
請求項２０に記載のハンドオーバ失敗情報生成装置。
【請求項２２】
前記生成手段は、前記第１のハンドオーバによる前記移動端末の前記第２のセルへの接続に依存する所定期間内に前記移動端末が前記第２のセルでの異常な接続切断を経験したことに応じて、前記ハンドオーバ失敗情報を送信する、請求項２１に記載のハンドオーバ失敗情報生成装置。
【請求項２３】
前記生成手段は、前記測定報告において無線品質が最良のセルを前記第３のセルとして推定する、請求項２１又は２２に記載のハンドオーバ失敗情報生成装置。
【請求項２４】
前記生成手段は、前記第３のセルを管理する第３の基地局と結合され、
前記生成手段は、前記移動端末の前記第３のセルでの接続再確立の以前の所定期間内に前記移動端末の前記第２のセルへのハンドオーバを要求した基地局が存在することを検出したことに応じて、前記ハンドオーバ失敗情報を送信する、請求項２０に記載のハンドオーバ失敗情報生成装置。
【請求項２５】
前記生成手段は、前記第３のセルからハンドオーバが可能なセルを管理する基地局を対象に、前記移動端末の前記第２のセルへのハンドオーバを要求した基地局の有無を特定する、請求項２４に記載のハンドオーバ失敗情報生成装置。
【請求項２６】
（ａ）第１の基地局に属する第１のセルから第２の基地局に属する第２のセルへの移動端末の第１のハンドオーバに関するハンドオーバ完了通知の前記第１の基地局による受信の有無、及び（ｂ）前記第１のハンドオーバの開始後に発生する前記移動端末から前記第１のセルに対する接続再確立の要求の有無を観測することにより、前記第１のセルからの外向きハンドオーバに関する複数のハンドオーバ失敗種別のうち少なくとも一部を検出する検出手段と、
前記少なくとも一部のハンドオーバ失敗種別の検出結果に基づいて、前記第１のセルからの外向きハンドオーバを制御するためのハンドオーバ・パラメータを調整する調整手段と、
を備える、ハンドオーバ最適化のためのシステム。
【請求項２７】
前記検出手段は、前記第１のハンドオーバの開始に依存する第１の所定期間内に前記ハンドオーバ完了通知が受信されず、かつ前記第１のハンドオーバの開始に依存する第２の所定期間内に前記接続再確立の要求が受信されない場合に、第１のハンドオーバ失敗種別を検出する、請求項２６に記載のシステム。
【請求項２８】
前記検出手段は、前記第１のハンドオーバの開始に依存する第３の所定期間内に前記接続再確立の要求が受信された場合に、第２のハンドオーバ失敗種別を検出する、請求項２６又は２７に記載のシステム。
【請求項２９】
前記検出手段は、前記ハンドオーバ完了通知の受信より前に前記接続再確立の要求が受信された場合に、第２のハンドオーバ失敗種別を検出する、請求項２６〜２８のいずれか１項に記載のシステム。
【請求項３０】
前記検出手段は、前記ハンドオーバ完了通知の受信に依存する第４の所定期間内に前記接続再確立の要求が受信された場合に、第２のハンドオーバ失敗種別を検出する、請求項２６〜２９のいずれか１項に記載のシステム。
【請求項３１】
ハンドオーバ失敗情報を生成して前記検出手段に通知する生成手段をさらに備え、
前記検出手段は、前記第１のハンドオーバの開始に依存する第５の所定期間内に前記接続再確立の要求が受信されず、かつ前記第１のハンドオーバの開始に依存する第６の所定期間内にハンドオーバ失敗情報が受信された場合に、第３のハンドオーバ失敗種別を検出するよう動作し、
前記第３のハンドオーバ失敗種別は、前記第１のハンドオーバの実行中又は前記第１のハンドオーバの完了後に前記第２のセルでの異常な接続切断を経験した前記移動端末が前記第１及び第２のセルのいずれとも異なる第３のセルに接続再確立を試みる状況に対応する、
請求項２６〜３０のいずれか１項に記載のシステム。
【請求項３２】
前記生成手段は、前記第２の基地局と結合され、
前記ハンドオーバ失敗情報は、前記生成手段が、前記第３のセルを管理する第３の基地局から情報を受信することなく、前記第２のセルに接続しているときの前記移動端末による無線品質の測定情報に基づいて推定した前記第３のセルの識別子を含む、
請求項３１に記載のシステム。
【請求項３３】
前記生成手段は、前記第２の基地局と結合され、
前記生成手段は、前記第１のハンドオーバによる前記移動端末の前記第２のセルへの接続に依存する第７の所定期間内に前記移動端末が前記第２のセルでの異常な接続切断を経験したことに応じて、前記ハンドオーバ失敗情報を送信する、請求項３１又は３２に記載のシステム。
【請求項３４】
前記生成手段は、前記第３のセルを管理する第３の基地局と結合され、
前記生成手段は、前記移動端末の前記第３のセルでの接続再確立の以前の第８の所定期間内に前記移動端末の前記第２のセルへのハンドオーバを要求した基地局が存在することを検出したことに応じて、前記ハンドオーバ失敗情報を送信する、請求項３１に記載のシステム。
【請求項３５】
前記生成手段は、前記第３のセルからハンドオーバが可能なセルを管理する基地局を対象に、前記移動端末の前記第２のセルへのハンドオーバを要求した基地局の有無を特定する、請求項３４に記載のシステム。
【請求項３６】
前記ハンドオーバ・パラメータは、前記第１のセルの無線品質に作用する第１のオフセット、前記第２のセルの無線品質に作用する第２のオフセット、及び前記第１のセルに接続する移動端末による測定報告の送信を起動するための保護時間のうち少なくとも１つを含む、請求項２６〜３５のいずれか１項に記載のシステム。
【請求項３７】
前記調整手段は、前記第１のハンドオーバ失敗種別の発生率が所定値を超えるとき、前記第１のオフセットの減少、前記第２のオフセットの増加、及び前記保護時間の減少のうち少なくとも１つを実行する、請求項２７を引用する請求項３６に記載のシステム。
【請求項３８】
前記調整手段は、前記第２のハンドオーバ失敗種別の発生率が所定値を超えるとき、前記第１のオフセットの増加、前記第２のオフセットの減少、及び前記保護時間の増加のうち少なくとも１つを実行する、請求項２８、２９、又は３０を引用する請求項３６に記載のシステム。
【請求項３９】
前記ハンドオーバ・パラメータは、前記第２のオフセット、及び前記第３のセルの無線品質に作用する第３のオフセットを含み、
前記調整手段は、前記第３のハンドオーバ失敗種別の発生率が所定値を超えるとき、前記第２のオフセットの減らすとともに、前記第３のオフセットの増やす、
請求項３１〜３５のいずれか１項を引用する請求項３６に記載のシステム。
【請求項４０】
請求項１〜１４のいずれか１項に記載のハンドオーバ失敗検出装置を備える基地局。
【請求項４１】
（ａ）第１の基地局に属する第１のセルから第２の基地局に属する第２のセルへの移動端末の第１のハンドオーバに関するハンドオーバ完了通知の前記第１の基地局による受信の有無、及び（ｂ）前記第１のハンドオーバの開始後に発生する前記移動端末から前記第１のセルに対する接続再確立の要求の有無を観測することにより、前記第１のセルからの外向きハンドオーバに関する複数のハンドオーバ失敗種別のうち少なくとも一部を検出することを備える、
ハンドオーバ失敗検出方法。
【請求項４２】
（ａ）第１の基地局に属する第１のセルから第２の基地局に属する第２のセルへの移動端末の第１のハンドオーバに関するハンドオーバ完了通知の前記第１の基地局による受信の有無、及び（ｂ）前記第１のハンドオーバの開始後に発生する前記移動端末から前記第１のセルに対する接続再確立の要求の有無に応じて、前記第１のセルからの外向きハンドオーバを制御するためのハンドオーバ・パラメータを調整することを備える、
ハンドオーバ・パラメータ調整方法。
【請求項４３】
ハンドオーバ失敗検出のための方法をコンピュータに行わせるためのプログラムであって、
前記方法は、（ａ）第１の基地局に属する第１のセルから第２の基地局に属する第２のセルへの移動端末の第１のハンドオーバに関するハンドオーバ完了通知の前記第１の基地局による受信の有無、及び（ｂ）前記第１のハンドオーバの開始後に発生する前記移動端末から前記第１のセルに対する接続再確立の要求の有無を観測することにより、前記第１のセルからの外向きハンドオーバに関する複数のハンドオーバ失敗種別のうち少なくとも一部を検出することを含む、
プログラム。
【請求項４４】
ハンドオーバ・パラメータ調整のための方法をコンピュータに行わせるためのプログラムであって、
前記方法は、（ａ）第１の基地局に属する第１のセルから第２の基地局に属する第２のセルへの移動端末の第１のハンドオーバに関するハンドオーバ完了通知の前記第１の基地局による受信の有無、及び（ｂ）前記第１のハンドオーバの開始後に発生する前記移動端末から前記第１のセルに対する接続再確立の要求の有無に応じて、前記第１のセルからの外向きハンドオーバを制御するためのハンドオーバ・パラメータを調整することを含む、
プログラム。
【国際調査報告】
2014002320.tif 000028
2014002320.tif 000029